(57)【特許請求の範囲】
【請求項１】
一個の基座（１）、一個の回転子（２）、少なくとも一個の浮子（３）および一個の伸縮制御モジュール（４）が含まれる浮力駆動の運動エネルギー発生装置であって、
基座（１）には一個の液体タンク（１１）が含まれ、
回転子（２）には一個の回転本体（２１）と一個の軸部（２２）が含まれ、軸部（２２）は回転本体（２１）と液体タンク（１１）を結合し、回転本体（２１）は軸部（２２）の回転軸線を中心に回転自在に液体タンク（１１）の中に設けられ、回転本体（２１）には二個の相対する端面（２１ａ）と一個の外周面（２１ｂ）が含まれ、外周面（２１ｂ）は二個の端面（２１ａ）と連接し、
少なくとも一個の浮子（３）は伸縮自在に回転本体（２１）の外周面（２１ｂ）に設けられることにより、回転本体（２１）の半径方向において伸縮の変位を発生し、少なくとも一個の浮子（３）には一個の第一浮子（３ａ）が含まれ、回転本体（２１）の外周面（２１ｂ）には一個の第一溝口（２１１ａ）が設けられ、第一浮子（３ａ）には一個のカバー（３１）と一個の隔離部材（３２）が含まれ、カバー（３１）の一端は開放状に形成され、カバー（３１）は第一溝口（２１１ａ）に設けられ、かつ開口端は回転本体（２１）の内部に向くように形成され、カバー（３１）は隔離部材（３２）によって回転本体（２１）と互いに連接することにより、第一溝口（２１１ａ）を密封し、
伸縮制御モジュール（４）は液体タンク（１１）の中に設けられることにより、回転本体（２１）は回転時において少なくとも一個の浮子（３）が回転本体（２１）に対して伸縮するのを制御し、それぞれのカバー（３１）には回転子（２）の回転方向に沿った前端において一個の破水部（３１１）が設けられ、破水部（３１１）は浮子（３）の伸縮方向の横断面上において略三角形状に形成される
ことを特徴とする浮力駆動の運動エネルギー発生装置。
【請求項２】
一個の基座（１）、一個の回転子（２）、少なくとも一個の浮子（３）および一個の伸縮制御モジュール（４）が含まれる浮力駆動の運動エネルギー発生装置であって、
基座（１）には一個の液体タンク（１１）が含まれ、
回転子（２）には一個の回転本体（２１）と一個の軸部（２２）が含まれ、軸部（２２）は回転本体（２１）と液体タンク（１１）を結合し、回転本体（２１）は軸部（２２）の回転軸線を中心に回転自在に液体タンク（１１）の中に設けられ、回転本体（２１）には二個の相対する端面（２１ａ）と一個の外周面（２１ｂ）が含まれ、外周面（２１ｂ）は二個の端面（２１ａ）と連接し、
少なくとも一個の浮子（３）は伸縮自在に回転本体（２１）の外周面（２１ｂ）に設けられることにより、回転本体（２１）の半径方向において伸縮の変位を発生し、少なくとも一個の浮子（３）には一個の第一浮子（３ａ）が含まれ、回転本体（２１）の外周面（２１ｂ）には一個の第一溝口（２１１ａ）が設けられ、第一浮子（３ａ）には一個のカバー（３１）と一個の隔離部材（３２）が含まれ、カバー（３１）の一端は開放状に形成され、カバー（３１）は第一溝口（２１１ａ）に設けられ、かつ開口端は回転本体（２１）の内部に向くように形成され、カバー（３１）は隔離部材（３２）によって回転本体（２１）と互いに連接することにより、第一溝口（２１１ａ）を密封し、
伸縮制御モジュール（４）は液体タンク（１１）の中に設けられることにより、回転本体（２１）は回転時において少なくとも一個の浮子（３）が回転本体（２１）に対して伸縮するのを制御し、
隔離部材（３２）は弾性を有する浸透防止の材料から製造され、隔離部材（３２）の一端は回転本体（２１）の外周面（２１ｂ）に結合され、他端は対応するカバー（３１）の外側の表面に結合される
ことを特徴とする浮力駆動の運動エネルギー発生装置。
【請求項３】
液体タンク（１１）は液体を収容するのに用いられ、回転本体（２１）の内部は中空で物質を収容し、上記物質の密度は液体タンク（１１）の中に収容される上記液体の密度より小さく、上記液体の中において回転本体（２１）を浮き上がらせるのに充分な浮力を発生することを特徴とする請求項１又は２に記載の浮力駆動の運動エネルギー発生装置。
【請求項４】
液体タンク（１１）は液体を収容するのに用いられ、回転本体（２１）の密度は液体タンク（１１）の中に収容される上記液体の密度より小さく、上記液体の中において回転本体（２１）を浮き上がらせるのに充分な浮力を発生することを特徴とする請求項１又は２に記載の浮力駆動の運動エネルギー発生装置。
【請求項５】
それぞれのカバー（３１）には回転子（２）の回転方向に沿った前端において一個の破水部（３１１）が設けられ、破水部（３１１）は浮子（３）の伸縮方向の横断面上において略三角形状に形成されることを特徴とする請求項２に記載の浮力駆動の運動エネルギー発生装置。
【請求項６】
破水部（３１１）の前端は鋭角状に形成されることを特徴とする請求項１又は５に記載の浮力駆動の運動エネルギー発生装置。
【請求項７】
基座（１）には他に二個の軸固定部（１２）が含まれ、二個の軸固定部（１２）はそれぞれ液体タンク（１１）の二個の相対する外側の表面に設けられ、さらに同じ軸で相対するように形成され、回転子（２）の軸部（２２）は二個の回転軸（２２ａ、２２ｂ）からなり、二個の回転軸（２２ａ、２２ｂ）にはそれぞれ一個の軸孔（２２１）が含まれ、二個の回転軸（２２ａ、２２ｂ）はそれぞれ一端から回転本体（２１）の二個の端面（２１ａ）に設けられ、そして二個の回転軸（２２ａ、２２ｂ）はそれぞれ他端から液体タンク（１１）を貫穿して通過し、二個の軸固定部（１２）まで連接されることにより、二個の軸孔（２２１）によって回転本体（２１）の内部と液体タンク（１１）の外部を連通することを特徴とする請求項１又は２に記載の浮力駆動の運動エネルギー発生装置。
【請求項８】
第一浮子（３ａ）のカバー（３１）の外端面は円弧状に形成され、かつ弧度は回転本体（２１）の外周面（２１ｂ）の弧度と同じになり、カバー（３１）が回転本体（２１）の外周面（２１ｂ）に対して最大縮入量に形成される時、カバー（３１）の外端面と回転本体（２１）の外周面（２１ｂ）は連続の円弧面に形成されることを特徴とする請求項１又は２に記載の浮力駆動の運動エネルギー発生装置。
【請求項９】
伸縮制御モジュール（４）には一個の制御導引部材（４１）と一個の第一平衡ユニット（４２ａ）が含まれ、制御導引部材（４１）は液体タンク（１１）の内壁に設けられ、第一平衡ユニット（４２ａ）は回転本体（２１）の内部に設けられ、第一浮子（３ａ）を作動させて制御導引部材（４１）に接触するように維持することを特徴とする請求項１又は２に記載の浮力駆動の運動エネルギー発生装置。
【請求項１０】
第一平衡ユニット（４２）には一個の第一支持座（４２１）、一個の第二支持座（４２２）と一個の弾性復元部材（４２３）が含まれ、第一支持座（４２１）は回転本体（２１）の内壁に結合され、第二支持座（４２２）はカバー（３１）の内壁に結合され、弾性復元部材（４２３）の両端はそれぞれ第一支持座（４２１）と第二支持座（４２２）に当接することを特徴とする請求項９に記載の浮力駆動の運動エネルギー発生装置。
【請求項１１】
制御導引部材（４１）は環状で回転本体（２１）の外部を囲むように形成され、制御導引部材（４１）は順序に従って互いに連接する一個の第一維持端（４１２）、一個の第一変位制御段（４１３）、一個の第二維持端（４１４）と一個の第二変位制御段（４１５）からなり、かつ第二変位制御段（４１５）はまた第一維持端（４１２）と連接するため、制御導引部材（４１）は連続した封止環状の内表面を有するように形成され、第一維持端（４１２）と第二維持端（４１４）の内表面はそれぞれ回転本体（２１）の外周面（２１ｂ）と同心の円弧状に形成され、かつ第一維持端（４１２）の曲率半径は第二維持端（４１４）の曲率半径より小さく、第一変位制御段（４１３）の内表面から回転本体（２１）の軸心までの直線距離は第一維持端（４１２）に連接する部位から第二維持端（４１４）に連接する部位まで次第に増えるように形成され、第二変位制御段（４１５）の内表面から回転本体（２１）の軸心までの直線距離は第二維持端（４１４）に連接する部位から第一維持端（４１２）に連接する部位まで次第に減るように形成されることを特徴とする請求項９に記載の浮力駆動の運動エネルギー発生装置。
【請求項１２】
第一浮子（３ａ）はカバー（３１）の外端面において一個の導引部材（３３）が設けられ、導引部材（３３）の自由端には一個の転動部材（３３１）が設けられ、カバー（３１）は導引部材（３３）の転動部材（３３１）によって制御導引部材（４１）の内表面に接触することにより、第一浮子（３ａ）の伸縮を制御することを特徴とする請求項１１に記載の浮力駆動の運動エネルギー発生装置。
【請求項１３】
回転本体（２１）の外周面（２１ｂ）には他に複数個の第二溝口（２１１ｂ）が設けられ、少なくとも一個の浮子（３）には他に複数個の第二浮子（３ｂ）が含まれ、それぞれの第二浮子（３ｂ）には一個のカバー（３１）が含まれ、それぞれの第二浮子（３ｂ）のカバー（３１）の一端は開放状に形成され、それぞれの第二浮子（３ｂ）のカバー（３１）はその内の一個の第二溝口（２１１ｂ）に設けられ、かつ開口端は回転本体（２１）の内部に向くように形成され、それぞれの第二浮子（３ｂ）のカバー（３１）の外端面には一個の導引部材（３３）が設けられ、それぞれの第二浮子（３ｂ）の導引部材（３３）の自由端には一個の転動部材（３３１）が設けられ、それぞれの第二浮子（３ｂ）には他に一個の隔離部材（３２）が含まれ、それぞれの第二浮子（３ｂ）のカバー（３１）は隔離部材（３２）によって回転本体（２１）と互いに連接することにより、その内の一個の第二溝口（２１１ｂ）を密封し、伸縮制御モジュール（４）には他に複数個の第二平衡ユニット（４２ｂ）が含まれ、それぞれの第二平衡ユニット（４２ｂ）は回転本体（２１）の内部に設けられ、第二浮子（３ｂ）を作動させて制御導引部材（４１）に接触するように維持することを特徴とする請求項１２に記載の浮力駆動の運動エネルギー発生装置。
【請求項１４】
第一浮子（３ａ）と複数個の第二浮子（３ｂ）は等間隔で回転本体（２１）の外周面（２１ｂ）に設けられることを特徴とする請求項１３に記載の浮力駆動の運動エネルギー発生装置。
【請求項１５】
少なくとも一個の浮子（３）には他に一個の第二浮子（３ｂ）が含まれ、第一浮子（３ａ）および第二浮子（３ｂ）は回転本体（２１）の半径方向において相対するように形成され、回転本体（２１）の外周面（２１ｂ）には他に一個の第二溝口（２１１ｂ）が設けられ、第二浮子（３ｂ）には一個のカバー（３１）が含まれ、第二浮子（３ｂ）のカバー（３１）の一端は開放状に形成され、第二浮子（３ｂ）のカバー（３１）は第二溝口（２１１ｂ）に設けられ、かつ開口端は回転本体（２１）の内部に向くように形成され、第二浮子（３ｂ）には他に一個の隔離部材（３２）が含まれ、第二浮子（３ｂ）のカバー（３１）は隔離部材（３２）によって回転本体（２１）と互いに連接することにより、第二溝口（２１１ｂ）を密封し、伸縮制御モジュール（５）は回転本体（２１）の局部の外周面（２１ｂ）と相対するように形成されることにより、回転本体（２１）が回転時において第一浮子（３ａ）または第二浮子（３ｂ）が伸縮するのを制御し、さらに第一浮子（３ａ）および第二浮子（３ｂ）は同期に回転本体（２１）に対して半径方向の変位を発生することを特徴とする請求項１又は２に記載の浮力駆動の運動エネルギー発生装置。
【請求項１６】
第一浮子（３ａ）および第二浮子（３ｂ）が相対する内側は一個の連動モジュール（３５）によって互いに連接され、連動モジュール（３５）には二個の固定部材（３５１）と一個の連接桿（３５２）が含まれ、二個の固定部材（３５１）はそれぞれ第一浮子（３ａ）および第二浮子（３ｂ）のカバー（３１）の内側に結合され、連接桿（３５２）の両端はそれぞれ二個の固定部材（３５１）と互いに結合することを特徴とする請求項１５に記載の浮力駆動の運動エネルギー発生装置。
【請求項１７】
伸縮制御モジュール（６）には一個の圧板（６１）が含まれ、圧板（６１）が回転子（２）に従った回転方向には互いに連接する一個の変位制御段（６１１）と一個の維持端（６１２）が含まれ、変位制御段（６１１）の内表面から回転子（２）の軸心までの直線距離は一端から維持端（６１２）と連接する部位へ向かって次第に減り、維持端（６１２）の内表面と回転本体（２１）の外周面（２１ｂ）は同心の円弧状に形成されることを特徴とする請求項１５に記載の浮力駆動の運動エネルギー発生装置。
【請求項１８】
第一浮子（３ａ）および第二浮子（３ｂ）の外端面にはそれぞれ一個の導引部材（３３）が設けられ、それぞれの導引部材（３３）の自由端には一個の転動部材（３３１）が設けられ、第一浮子（３ａ）または第二浮子（３ｂ）が圧板（６１）を通過した時、第一浮子（３ａ）または第二浮子（３ｂ）の転動部材（３３１）は圧板（６１）の内表面に接触することを特徴とする請求項１７に記載の浮力駆動の運動エネルギー発生装置。
【請求項１９】
伸縮制御モジュール（５）には二個の導引軌条（５２）が含まれ、二個の導引軌条（５２）は円弧形かつ互いに平行になるように形成され、二個の導引軌条（５２）の間には一個の通路（５３）が形成され、それぞれの導引軌条（５２）が回転子（２）に従った回転方向には互いに連接する一個の変位制御段（５２１）と一個の維持端（５２２）が含まれ、変位制御段（５２１）の外側の表面から回転子（２）の軸心までの直線距離は一端から維持端（５２２）と連接する部位へ向かって次第に増加し、維持端（５２２）の外側の表面と回転本体（２１）の外周面（２１ｂ）は同心の円弧状に形成されることを特徴とする請求項１５に記載の浮力駆動の運動エネルギー発生装置。
【請求項２０】
第一浮子（３ａ）および第二浮子（３ｂ）のカバー（３１）の外端面にはそれぞれ一個の導引部材（３３）が設けられ、それぞれの導引部材（３３）の自由端には一個の転動部材（３３１）が設けられ、第一浮子（３ａ）または第二浮子（３ｂ）が二個の導引軌条（５２）を通過した時、第一浮子（３ａ）または第二浮子（３ｂ）の転動部材（３３１）は通路（５３）を通過し、さらに二個の導引軌条（５２）の外側の表面に当接されることを特徴とする請求項１９に記載の浮力駆動の運動エネルギー発生装置。
【請求項２１】
回転本体（２１）の外周面（２１ｂ）には他に一個の第三溝口（２１１ｃ）と一個の第四溝口（２１１ｄ）が設けられ、少なくとも一個の浮子（３）には他に一個の第三浮子（３ｃ）および一個の第四浮子（３ｄ）が含まれ、第三浮子（３ｃ）および第四浮子（３ｄ）は回転本体（２１）の半径方向において相対するように形成され、第三浮子（３ｃ）および第四浮子（３ｄ）は全て第一浮子（３ａ）および第二浮子（３ｂ）の間に位置し、第三浮子（３ｃ）には一個のカバー（３１）が含まれ、第三浮子（３ｃ）のカバー（３１）の一端は開放状に形成され、第三浮子（３ｃ）のカバー（３１）は第三溝口（２１１ｃ）に設けられ、かつ開口端は回転本体（２１）の内部に向くように形成され、第三浮子（３ｃ）には他に一個の隔離部材（３２）が含まれ、第三浮子（３ｃ）のカバー（３１）は隔離部材（３２）によって回転本体（２１）と互いに連接することにより、第三溝口（２１１ｃ）を密封し、第四浮子（３ｄ）には一個のカバー（３１）が含まれ、第四浮子（３ｄ）のカバー（３１）の一端は開放状に形成され、第四浮子（３ｄ）のカバー（３１）は第四溝口（２１１ｄ）に設けられ、かつ開口端は回転本体（２１）の内部に向くように形成され、第四浮子（３ｄ）には他に一個の隔離部材（３２）が含まれ、第四浮子（３ｄ）のカバー（３１）は隔離部材（３２）によって回転本体（２１）と互いに連接することにより、第四溝口（２１１ｄ）を密封することを特徴とする請求項１５に記載の浮力駆動の運動エネルギー発生装置。
【請求項２２】
第三浮子（３ｃ）および第四浮子（３ｄ）が相対する内側は一個の連動モジュール（３５）によって互いに連接され、連動モジュール（３５）には二個の固定部材（３５１）と一個の連接桿（３５２）が含まれ、二個の固定部材（３５１）はそれぞれ第三浮子（３ｃ）および第四浮子（３ｄ）のカバー（３１）の内側に結合され、連接桿（３５２）の両端はそれぞれ二個の固定部材（３５１）と互いに結合することを特徴とする請求項２１に記載の浮力駆動の運動エネルギー発生装置。
【請求項２３】
伸縮制御モジュール（６）には一個の圧板（６１）が含まれ、圧板（６１）が回転子（２）に従った回転方向には互いに連接する一個の変位制御段（６１１）と一個の維持端（６１２）が含まれ、変位制御段（６１１）の内表面から回転子（２）の軸心までの直線距離は一端から維持端（６１２）と連接する部位へ向かって次第に減り、維持端（６１２）の内表面と回転本体（２１）の外周面（２１ｂ）は同心の円弧状に形成され、第三浮子（３ｃ）および第四浮子（３ｄ）のカバー（３１）の外端面にはそれぞれ一個の導引部材（３３）が設けられ、それぞれの導引部材（３３）の自由端には一個の転動部材（３３１）が設けられ、第三浮子（３ｃ）または第四浮子（３ｄ）が圧板（６１）を通過した時、第三浮子（３ｃ）または第四浮子（３ｄ）の転動部材（３３１）は圧板（６１）の内表面に接触することを特徴とする請求項２１に記載の浮力駆動の運動エネルギー発生装置。
【請求項２４】
伸縮制御モジュール（５）には二個の導引軌条（５２）が含まれ、二個の導引軌条（５２）は円弧形かつ互いに平行になるように形成され、二個の導引軌条（５２）の間には一個の通路（５３）が形成され、それぞれの導引軌条（５２）が回転子（２）に従った回転方向には互いに連接する一個の変位制御段（５２１）と一個の維持端（５２２）が含まれ、変位制御段（５２１）の外側の表面から回転子（２）の軸心までの直線距離は一端から維持端（５２２）と連接する部位へ向かって次第に増加し、維持端（５２２）の外側の表面と回転本体（２１）の外周面（２１ｂ）は同心の円弧状に形成され、第三浮子（３ｃ）および第四浮子（３ｄ）のカバー（３１）の外端面にはそれぞれ一個の導引部材（３３）が設けられ、それぞれの導引部材（３３）の自由端には一個の転動部材（３３１）が設けられ、第三浮子（３ｃ）または第四浮子（３ｄ）が二個の導引軌条（５２）を通過した時、第三浮子（３ｃ）または第二浮子（３ｄ）の転動部材（３３１）は通路（５３）を通過し、さらに二個の導引軌条（５２）の外側の表面に当接されることを特徴とする請求項２１に記載の浮力駆動の運動エネルギー発生装置。
【請求項２５】
回転子（２）には他に複数個の外導引軌条（２３）が含まれ、複数個の外導引軌条（２３）はそれぞれ回転本体（２１）の二個の端面（２１ａ）に設けられ、第一浮子（３ａ）、第二浮子（３ｂ）、第三浮子（３ｃ）および第四浮子（３ｄ）のカバー（３１）の外端面の両側に複数個の位置決め部材（３４）が突設され、複数個の位置決め部材（３４）はそれぞれ対応する外導引軌条（２３）の中に移動自在に設けられることを特徴とする請求項２１に記載の浮力駆動の運動エネルギー発生装置。
【請求項２６】
同じ端面（２１ａ）に設けられた複数個の外導引軌条（２３）の背面は他に自由端に隣接する部位において一個の環状部材（２４）によって連接することを特徴とする請求項２５に記載の浮力駆動の運動エネルギー発生装置。
【請求項２７】
隔離部材（３２）は弾性を有する浸透防止の材料から製造され、隔離部材（３２）の一端は回転本体（２１）の外周面（２１ｂ）に結合され、他端は対応するカバー（３１）の外側の表面に結合されることを特徴とする請求項１に記載の浮力駆動の運動エネルギー発生装置。
【請求項２８】
浮力駆動の運動エネルギー発生装置の運動エネルギー発生方法であって、一個の基座（１）、一個の回転子（２）、少なくとも一個の浮子（３）および一個の伸縮制御モジュール（４）が含まれる浮力駆動の運動エネルギー発生装置を提供し、基座（１）には一個の液体タンク（１１）が含まれ、回転子（２）には一個の回転本体（２１）と一個の軸部（２２）が含まれ、軸部（２２）は回転本体（２１）と液体タンク（１１）を結合し、回転本体（２１）は軸部（２２）の回転軸線を中心に回転自在に液体タンク（１１）の中に設けられ、回転本体（２１）には二個の相対する端面（２１ａ）と一個の外周面（２１ｂ）が含まれ、外周面（２１ｂ）は二個の端面（２１ａ）と連接し、少なくとも一個の浮子（３）は伸縮自在に回転本体（２１）の外周面（２１ｂ）に設けられることにより、回転本体（２１）の半径方向において伸縮の変位を発生し、少なくとも一個の浮子（３）には一個の第一浮子（３ａ）が含まれ、回転本体（２１）の外周面（２１ｂ）には一個の第一溝口（２１１ａ）が設けられ、第一浮子（３ａ）には一個のカバー（３１）と一個の隔離部材（３２）が含まれ、カバー（３１）の一端は開放状に形成され、カバー（３１）は第一溝口（２１１ａ）に設けられ、かつ開口端は回転本体（２１）の内部に向くように形成され、カバー（３１）は隔離部材（３２）によって回転本体（２１）と互いに連接することにより、第一溝口（２１１ａ）を密封し、伸縮制御モジュール（４）は液体タンク（１１）の中に設けられることにより、回転本体（２１）は回転時において少なくとも一個の浮子（３）が回転本体（２１）に対して伸縮するのを制御し、液体タンク（１１）の中に液体が収容され、回転本体（２１）は一個の予備浮力を発生し、浮子（３）が回転本体（２１）に対して伸縮作動を制御することにより、回転本体（２１）の局部の浮力は変化を発生し、回転本体（２１）に平衡を失わせて上記回転軸線を中心に回動させ、浮子（３）が回転本体（２１）に従って上記回転軸線を中心に一周を回転すると同時に、回転本体（２１）の外周面（２１ｂ）に対して一回の伸縮の循環を完成し、一回の伸縮の循環は四個のストロークに分けられ、上記四個のストロークはそれぞれ一個の浮子内隠ストローク、一個の浮子漸伸ストローク、一個の浮子全露ストロークと一個の浮子漸縮ストロークからなり、液体タンク（１１）の中の空間は四個のエリアに分けられ、上記四個のエリアは回転子（２）の回転方向に従って順序的に一個の浮子内隠エリア（Ｚ１）、一個の浮子漸伸エリア（Ｚ２）、一個の浮子全露エリア（Ｚ３）と一個の浮子漸縮エリア（Ｚ４）からなり、浮子（３）の上記浮子内隠ストロークは浮子内隠エリア（Ｚ１）の中に位置を合わせられ、かつ浮子（３）は最大縮入量の形態に達するように維持され、浮子（３）は回転中の回転本体（２１）に連動されて浮子内隠エリア（Ｚ１）から浮子漸伸エリア（Ｚ２）に進入する時、浮子（３）は上記浮子漸伸ストロークに進入し、浮子漸伸エリア（Ｚ２）の中において次第にその伸出量を増やし続け、浮子全露エリア（Ｚ３）に進入する時まで、最大伸出量の形態に達するように形成され、また浮子（３）の上記浮子全露ストロークは浮子全露エリア（Ｚ３）の中に位置を合わせられ、浮子（３）が最大伸出量の形態に達するように維持することによって回転本体（２１）が回動するのを駆動し、また浮子（３）は回転中の回転本体（２１）に連動されて浮子全露エリア（Ｚ３）から浮子漸縮エリア（Ｚ４）に進入する時、浮子（３）は上記浮子漸縮ストロークに進入し、浮子漸縮エリア（Ｚ４）の中において次第にその伸出量を減らし続け、浮子内隠エリア（Ｚ１）に進入する時まで、再び上記浮子内隠ストロークに進入して最大縮入量の形態に達するように形成され、浮子漸伸エリア（Ｚ２）は液面（Ｆ）の下に位置し、浮子漸縮エリア（Ｚ４）は液面（Ｆ）の上に位置することを特徴とする浮力駆動の運動エネルギー発生装置の運動エネルギー発生の方法。
【請求項２９】
浮子内隠エリア（Ｚ１）と浮子全露エリア（Ｚ３）は回転本体（２１）の半径方向において対角に設置するように形成され、浮子漸伸エリア（Ｚ２）と浮子漸縮エリア（Ｚ４）は回転本体（２１）の半径方向において対角に設置するように形成され、浮子（３）の上記浮子内隠ストローク、浮子漸伸ストローク、浮子全露ストロークと浮子漸縮ストロークは回転本体（２１）の半径方向において等角で分布するように形成されることを特徴とする請求項２８に記載の運動エネルギー発生の方法。
【請求項３０】
少なくとも一個の浮子（３）には一個の第一浮子（３ａ）および一個の第二浮子（３ｂ）が含まれ、第二浮子（３ｂ）は回転本体（２１）の半径方向において第一浮子（３ａ）と相対し、第一浮子（３ａ）または第二浮子（３ｂ）のその内の一個の浮子（３）が上記浮子内隠ストロークに進入する時、もう一個の浮子（３）は上記浮子全露ストロークに進入し、第一浮子（３ａ）または第二浮子（３ｂ）のその内の一個の浮子（３）が上記浮子漸伸ストロークに進入する時、もう一個の浮子（３）は上記浮子漸縮ストロークに進入することを特徴とする請求項２８に記載の運動エネルギー発生の方法。
【請求項３１】
浮子（３）が上記浮子漸伸ストローク、浮子全露ストロークと浮子漸縮ストロークの中の伸出量は一個の円弧形の径路に形成されることを特徴とする請求項２８に記載の運動エネルギー発生の方法。
【請求項３２】
浮子（３）は上記浮子漸伸ストロークの中において、その伸出量は回転本体（２１）が上記回転軸線に相対する回転に従って曲率半径が次第に増える一個の円弧形の径路が形成され、浮子（３）は上記浮子全露ストロークの中において、その伸出量は回転本体（２１）の回転に従って同じ曲率半径の一個の円弧形の径路が形成され、浮子（３）は上記浮子漸縮ストロークの中において、その伸出量は回転本体（２１）が上記回転軸線に相対する回転に従って曲率半径が次第に減る一個の円弧形の径路が形成されることを特徴とする請求項３１に記載の運動エネルギー発生の方法。
【発明の詳細な説明】
【技術分野】
【０００１】
本発明は、運動エネルギー発生装置に関するもので、特に、浮力を利用して運動エネルギーを発生する浮力駆動の運動エネルギー発生装置およびその運動エネルギー発生の方法に係るものである。
【背景技術】
【０００２】
人類の文明の発展において、沢山の運動エネルギー装置はすでに存在しており、その作動時において機械エネルギーが生じてある装置を駆動するのに用いることができ、さらに機械エネルギーを電気エネルギーに転換してより幅広い用途を提供することにより、人類の生活が向上した。その中、それら運動エネルギー装置は大体二種類に分けられ、一種類は自然エネルギー（例えば、風力発電、太陽エネルギー発電、水力発電など）を運動エネルギー発生の動力とし、もう一種類は天然エネルギーの資源（例えば、原子力発電、火力発電など）を消耗して運動エネルギー発生の動力としている。しかしながら、それらの運動エネルギー装置は依然として以下の問題点を有していた。
【０００３】
自然エネルギーにより運動エネルギーを発生させる装置では、安価で充分に供給でき、かつ汚染しないなどの利点を有するが、自然エネルギーそのものが発生するタイミングと強弱はコントロールできないため、上記従来の運動エネルギー装置では安定した運動エネルギー発生の効率を維持することができないという問題点があった。
【０００４】
また、天然エネルギーの資源を消耗して運動エネルギーを発生させる装置では、制御し易いという利点を有するが、天然資源はいくら取っても尽きず、いくら使っても尽きないという訳ではなく、人類の大量な採取によって遂に尽きる日が来る。さらに、上記従来の運動エネルギー装置では作動時に比較の安全性に欠けるだけではなく、その使用済みの廃棄物（例えば、核燃料の廃棄物）では環境に対して厳重な汚染をもたらしてしまうため、その廃棄物の処理に余分に高い費用が生じてしまうという問題点がある。
【０００５】
そのために、遂に浮力を利用して運動エネルギーを発生させる浮力駆動の運動エネルギー発生装置が発明された。従来の浮力駆動の運動エネルギー発生装置として、図２５に示されるアメリカ公告第７２１６４８３号（特許文献１）の「POWER GENERATING SYSTEM UTILIZING BUOYANCY」において、従来の浮力駆動の運動エネルギー発生装置９には一個の塔体９１が含まれ、塔体９１の中には一個の運送装置９２が設けられ、運送装置９２は一個の回転軸９３が回転するのを連動するように連接し、回転軸９３は塔体９１の外に位置する一個の発電機９４と連接する。その中に、運送装置９２の上には複数個の桶９２１が設けられ、それぞれの桶９２１が塔体９１の底部に隣接する部位まで運送された時にはひっくり返った状態に形成され、そして一個の気泡供給器９５によって気泡を桶９２１の内部に注入して浮力を生じさせることができる。それぞれの桶９２１が上へ運送されて水面を越えると、内部の気体は排出され、さらに開口が上に向くような形態で再び水の中に沈むため、内部は水が満杯でスムースに沈むことができる。
【０００６】
その他に、アメリカ公告第４３６３２１２号（特許文献２）の「BUOYANCY PRIME MOVER」、第４４９８２９４号（特許文献３）の「BUOYANCY PRIME MOVER WITH PRESSURE CONTROL MEANS」、第６３０５１６５号（特許文献４）の「METHODS AND APPARATUS FOR ACQUIRING FREE ENERGY USING BUOYANCY TECHNOLOGY」、中華民国公開第２００４０８７６６号（特許文献５）の「浮力運動エネルギー機」、第２００６３２２１２号（特許文献６）の「重力浮力循環作動の水力発電装置」、第２００７１４８０１号（特許文献７）の「永続の動力エネルギー生成機」、第２０１２１７６３８号（特許文献８）の「浮力発電システムおよびその気浮装置、伝動装置」、第２０１３１９３８５号（特許文献９）の「簡易型の水下発電装置」、中国公開第１５０８４２３号（特許文献１０）の「浮力運動エネルギー機」、第１０１２０１０４０号（特許文献１１）の「循環エアバック浮力動力装置」、公告第１０２１１２７４０号（特許文献１２）の「動力発生装置」、第１０２３７４１０８号（特許文献１３）の「浮力、重力循環発電法」、第１０２８５２７０６号（特許文献１４）の「浮力型動力機」、第１０３２９１５３３号（特許文献１５）の「浮力発動機」、第１０３５１１１７４号（特許文献１６）の「地球引力と液体浮力の発電装置」、第１０３５１１２０９号（特許文献１７）の「密度差の発動機」、日本公開第Ｓ５６-１１３０６６号（特許文献１８）の「電解気体の浮力利用発電装置」、特開２００７-１３２２１４号（特許文献１９）の「浮力を利用するエネルギー節減型回転式ポンプ」、特開２０１３-１１３２９３号（特許文献２０）の「浮力エネルギーを利用した発電装置」などの発明は全て浮力を利用して運動エネルギーを発生させるその他の従来の浮力駆動の運動エネルギー発生装置であった。
【先行技術文献】
【特許文献】
【０００７】
【特許文献１】アメリカ公告第７２１６４８３号
【特許文献２】アメリカ公告第４３６３２１２号
【特許文献３】アメリカ公告第４４９８２９４号
【特許文献４】アメリカ公告第６３０５１６５号
【特許文献５】中華民国公開第２００４０８７６６号
【特許文献６】中華民国公開第２００６３２２１２号
【特許文献７】中華民国公開第２００７１４８０１号
【特許文献８】中華民国公開第２０１２１７６３８号
【特許文献９】中華民国公開第２０１３１９３８５号
【特許文献１０】中国公開第１５０８４２３号
【特許文献１１】中国公告第１０１２０１０４０号
【特許文献１２】中国公告第１０２１１２７４０号
【特許文献１３】中国公告第１０２３７４１０８号
【特許文献１４】中国公告第１０２８５２７０６号
【特許文献１５】中国公告第１０３２９１５３３号
【特許文献１６】中国公告第１０３５１１１７４号
【特許文献１７】中国公告第１０３５１１２０９号
【特許文献１８】日本国公開第Ｓ５６-１１３０６６号
【特許文献１９】日本国特開２００７-１３２２１４号
【特許文献２０】日本国特開２０１３-１１３２９３号
【発明の概要】
【発明が解決しようとする課題】
【０００８】
しかしながら、図２５に示される従来の浮力駆動の運動エネルギー発生装置９が作動される時、余分にエネルギーを消耗して気泡供給器９５を起動し、気泡を生じさせてそれぞれの桶９２１に注入することにより、運送装置９２を駆動して浮力を利用して引き続き回動することができ、さらに進んで発電機９４を連動して電気エネルギーを発生させることができる。また、上記従来の浮力駆動の運動エネルギー発生装置９では複数個の桶９２１の中に過半数にも至らない桶９２１によって共同で発生させた総浮力で運送装置９２が回動するのを連動するもので、そしてそれぞれの桶９２１の容積は限られることにより、総浮力の数値を高めることは難しくなるため、運送装置９２には回動の効率が悪いという問題点があった。
【０００９】
また、従来の浮力駆動の運動エネルギー発生装置９には部材の個の数が多く、製造、組立て、メンテナンスなどのコストが高いだけではなく、作動時において運送装置９２と回転軸９３はチェーンと歯車の構造によって水中で互いに連動するもので、上記機械部材の間では全て高い摩擦力による接触であるため、仮に充分な潤滑がなければ、スムースに作動することはできず、さらに水中で運転するために潤滑が難しく、かつ噛み合う抵抗が増えるなどの要素により、上記従来の浮力駆動の運動エネルギー発生装置９の作動時の抵抗が高まってしまうという問題点があった。
【００１０】
また、それぞれの桶９２１が運送されて水面まで越えて再び水中に沈もうとする時、それぞれの桶９２１そのものが水中に沈む時には一個の抵抗力として形成されるだけではなく、それぞれの桶９２１が水中に沈んだ後、液体が次第にそれぞれの桶９２１に満杯になるまで、それぞれの桶９２１の内部に残される空気には浮力が生じるため、運送装置９２の運転時における更なるもう一つの抵抗力が形成される。そのため、上述したそれぞれの原因の影響で上記従来の浮力駆動の運動エネルギー発生装置９はエネルギーの消耗だけではなく、さらにそれほど大きくない総浮力の数値で高い抵抗力の機械構造を連動して作動しなければならないため、上記従来の浮力駆動の運動エネルギー発生装置９では運動エネルギーの発生効率がよくないという問題点がった。
【００１１】
さらに、上述した従来の特許文献２から特許文献２０の浮力駆動の運動エネルギー発生装置においても大体として同様に部材が多く、かつ運動エネルギーの発生効率がよくないという問題点がった。
【００１２】
上述した原因に基づき、従来の浮力駆動の運動エネルギー発生装置をさらに改良する必要がある。
【００１３】
本発明の第一の目的は、総浮力の数値を高めるとともに、作動時の抵抗力を低く抑えることにより、スムースに運転して運動エネルギー発生の効率を高めることができる浮力駆動の運動エネルギー発生装置を提供することにある。
【００１４】
本発明の第二の目的は、構造が簡単で、製造、組立て、メンテナンスのコストを低く抑えることができる浮力駆動の運動エネルギー発生装置を提供することにある。
【課題を解決するための手段】
【００１５】
上記目的を達成するために、本発明による浮力駆動の運動エネルギー発生装置には、一個の基座、一個の回転子、少なくとも一個の浮子および一個の伸縮制御モジュールが含まれる。基座には一個の液体タンクが含まれる。回転子には一個の回転本体と一個の軸部が含まれ、軸部は回転本体と液体タンクを結合し、回転本体は軸部の回転軸線を中心に回転自在に液体タンクの中に設けられる。浮子は伸縮自在に回転本体に設けられる。伸縮制御モジュールは液体タンクの中に設けられることにより、回転本体は回転時において少なくとも一個の浮子が回転本体に対して伸縮するのを制御する。
【００１６】
また、液体タンクは液体を収容するのに用いられ、回転本体の内部は中空で物質を収容し、物質の密度は液体タンクの中に収容される液体の密度より小さく、液体の中において回転本体を浮き上がらせるのに充分な浮力を発生することもできる。また、液体タンクは液体を収容するのに用いられ、回転本体の密度は液体タンクの中に収容される液体の密度より小さく、液体の中において回転本体を浮き上がらせるのに充分な浮力を発生することもできる。
【００１７】
また、少なくとも一個の浮子は伸縮自在に回転本体の外表面に設けられることもできる。また、回転本体の外表面には二個の相対する端面と一個の外周面が含まれ、外周面は二個の端面と連接し、少なくとも一個の浮子は伸縮自在に回転本体の外周面に設けられることにより、回転本体の半径方向において伸縮の変位を発生することもできる。
【００１８】
また、基座には他に二個の軸固定部が含まれ、二個の軸固定部はそれぞれ液体タンクの二個の相対する外側の表面に設けられ、さらに同じ軸で相対するように形成され、回転子の軸部は二個の回転軸からなり、二個の回転軸にはそれぞれ一個の軸孔が含まれ、二個の回転軸はそれぞれ一端から回転本体の二個の端面に設けられ、そして二個の回転軸はそれぞれ他端から液体タンクを貫穿して通過し、二個の軸固定部まで連接されることにより、二個の軸孔によって回転本体の内部と液体タンクの外部を連通することもできる。
【００１９】
また、少なくとも一個の浮子には一個の第一浮子が含まれ、回転本体の外周面には一個の第一溝口が設けられ、第一浮子には一個のカバーと一個の隔離部材が含まれ、カバーの一端は開放状に形成され、カバーは第一溝口に設けられ、かつ開口端は回転本体の内部に向くように形成され、カバーは隔離部材によって回転本体と互いに連接することにより、第一溝口を密封することもできる。
【００２０】
また、第一浮子のカバーの外端面は円弧状に形成され、かつ弧度は回転本体の外周面の弧度と同じになり、カバーが回転本体の外周面に対して最大縮入量に形成される時、カバーの外端面と回転本体の外周面は連続の円弧面に形成されることもできる。
【００２１】
また、伸縮制御モジュールには一個の制御導引部材と一個の第一平衡ユニットが含まれ、制御導引部材は液体タンクの内壁に設けられ、第一平衡ユニットは回転本体の内部に設けられ、第一浮子を作動させて制御導引部材に接触するように維持することもできる。また、第一平衡ユニットには一個の第一支持座、一個の第二支持座と一個の弾性復元部材が含まれ、第一支持座は回転本体の内壁に結合され、第二支持座はカバーの内壁に結合され、弾性復元部材の両端はそれぞれ第一支持座と第二支持座に当接することもできる。また、制御導引部材は環状で回転本体の外部を囲むように形成され、制御導引部材は順序に従って互いに連接する一個の第一維持端、一個の第一変位制御段、一個の第二維持端と一個の第二変位制御段からなり、かつ第二変位制御段はまた第一維持端と連接するため、制御導引部材は連続した封止環状の内表面を有するように形成され、第一維持端と第二維持端の内表面はそれぞれ回転本体の外周面と同心の円弧状に形成され、かつ第一維持端の曲率半径は第二維持端の曲率半径より小さく、第一変位制御段の内表面から回転本体の軸心までの直線距離は第一維持端に連接する部位から第二維持端に連接する部位まで次第に増えるように形成され、第二変位制御段の内表面から回転本体の軸心までの直線距離は第二維持端に連接する部位から第一維持端に連接する部位まで次第に減るように形成されることもできる。また、第一浮子はカバーの外端面において一個の導引部材が設けられ、導引部材の自由端には一個の転動部材が設けられ、カバーは導引部材の転動部材によって制御導引部材の内表面に接触することにより、第一浮子の伸縮を制御することもできる。
【００２２】
また、回転本体の外周面には他に複数個の第二溝口が設けられ、少なくとも一個の浮子には他に複数個の第二浮子が含まれ、それぞれの第二浮子には一個のカバーが含まれ、それぞれの第二浮子のカバーの一端は開放状に形成され、それぞれの第二浮子のカバーはその内の一個の第二溝口に設けられ、かつ開口端は回転本体の内部に向くように形成され、それぞれの第二浮子のカバーの外端面には一個の導引部材が設けられ、それぞれの第二浮子の導引部材の自由端には一個の転動部材が設けられ、それぞれの第二浮子には他に一個の隔離部材が含まれ、それぞれの第二浮子のカバーは隔離部材によって回転本体と互いに連接することにより、その内の一個の第二溝口を密封し、伸縮制御モジュールには他に複数個の第二平衡ユニットが含まれ、それぞれの第二平衡ユニットは回転本体の内部に設けられ、第二浮子を作動させて制御導引部材に接触するように維持することもできる。また、第一浮子と複数個の第二浮子は等間隔で回転本体の外周面に設けられることもできる。
【００２３】
また、少なくとも一個の浮子には他に一個の第二浮子が含まれ、第一浮子と第二浮子は回転本体の半径方向において相対するように形成され、回転本体の外周面には他に一個の第二溝口が設けられ、第二浮子には一個のカバーが含まれ、第二浮子のカバーの一端は開放状に形成され、第二浮子のカバーは第二溝口に設けられ、かつ開口端は回転本体の内部に向くように形成され、第二浮子には他に一個の隔離部材が含まれ、第二浮子のカバーは隔離部材によって回転本体と互いに連接することにより、第二溝口を密封し、伸縮制御モジュールは回転本体の局部の外周面と相対するように形成されることにより、回転本体が回転時において第一浮子または第二浮子が伸縮するのを制御し、さらに第一浮子および第二浮子は同期に回転本体に対して半径方向の変位を発生することもできる。
【００２４】
また、第一浮子および第二浮子が相対する内側は一個の連動モジュールによって互いに連接され、連動モジュールには二個の固定部材と一個の連接桿が含まれ、二個の固定部材はそれぞれ第一浮子および第二浮子のカバーの内側に結合され、連接桿の両端はそれぞれ二個の固定部材と互いに結合することもできる。
【００２５】
また、伸縮制御モジュールには一個の圧板が含まれ、圧板が回転子に従った回転方向には互いに連接する一個の変位制御段と一個の維持端が含まれ、変位制御段の内表面から回転子の軸心までの直線距離は一端から維持端と連接する部位へ向かって次第に減り、維持端の内表面と回転本体の外周面は同心の円弧状に形成されることもできる。また、第一浮子および第二浮子の外端面にはそれぞれ一個の導引部材が設けられ、それぞれの導引部材の自由端には一個の転動部材が設けられ、第一浮子または第二浮子が圧板を通過した時、第一浮子または第二浮子の転動部材は圧板の内表面に接触することもできる。
【００２６】
また、伸縮制御モジュールには二個の導引軌条が含まれ、二個の導引軌条は円弧形かつ互いに平行になるように形成され、二個の導引軌条の間には一個の通路が形成され、それぞれの導引軌条が回転子に従った回転方向には互いに連接する一個の変位制御段と一個の維持端が含まれ、変位制御段の外側の表面から回転子の軸心までの直線距離は一端から維持端と連接する部位へ向かって次第に増加し、維持端の外側の表面と回転本体の外周面は同心の円弧状に形成されることもできる。また、第一浮子および第二浮子のカバーの外端面にはそれぞれ一個の導引部材が設けられ、それぞれの導引部材の自由端には一個の転動部材が設けられ、第一浮子または第二浮子が二個の導引軌条を通過した時、第一浮子または第二浮子の転動部材は通路を通過し、さらに二個の導引軌条の外側の表面に当接されることもできる。
【００２７】
また、回転本体の外周面には他に一個の第三溝口と一個の第四溝口が設けられ、少なくとも一個の浮子には他に一個の第三浮子および一個の第四浮子が含まれ、第三浮子および第四浮子は回転本体の半径方向において相対するように形成され、第三浮子および第四浮子は全て第一浮子および第二浮子の間に位置し、第三浮子には一個のカバーが含まれ、第三浮子のカバーの一端は開放状に形成され、第三浮子のカバーは第三溝口に設けられ、かつ開口端は回転本体の内部に向くように形成され、第三浮子には他に一個の隔離部材が含まれ、第三浮子のカバーは隔離部材によって回転本体と互いに連接することにより、第三溝口を密封し、第四浮子には一個のカバーが含まれ、第四浮子のカバーの一端は開放状に形成され、第四浮子のカバーは第四溝口に設けられ、かつ開口端は回転本体の内部に向くように形成され、第四浮子には他に一個の隔離部材が含まれ、第四浮子のカバーは隔離部材によって回転本体と互いに連接することにより、第四溝口を密封することもできる。
【００２８】
また、第三浮子および第四浮子が相対する内側は一個の連動モジュールによって互いに連接され、連動モジュールには二個の固定部材と一個の連接桿が含まれ、二個の固定部材はそれぞれ第三浮子および第四浮子のカバーの内側に結合され、連接桿の両端はそれぞれ二個の固定部材と互いに結合することもできる。
【００２９】
また、伸縮制御モジュールには一個の圧板が含まれ、圧板が回転子に従った回転方向には互いに連接する一個の変位制御段と一個の維持端が含まれ、変位制御段の内表面から回転子の軸心までの直線距離は一端から維持端と連接する部位へ向かって次第に減り、維持端の内表面と回転本体の外周面は同心の円弧状に形成され、第三浮子および第四浮子のカバーの外端面にはそれぞれ一個の導引部材が設けられ、それぞれの導引部材の自由端には一個の転動部材が設けられ、第三浮子または第四浮子が圧板を通過した時、第三浮子または第四浮子の転動部材は圧板の内表面に接触することもできる。
【００３０】
また、伸縮制御モジュールには二個の導引軌条が含まれ、二個の導引軌条は円弧形かつ互いに平行になるように形成され、二個の導引軌条の間には一個の通路が形成され、それぞれの導引軌条が回転子に従った回転方向には互いに連接する一個の変位制御段と一個の維持端が含まれ、変位制御段の外側の表面から回転子の軸心までの直線距離は一端から維持端と連接する部位へ向かって次第に増加し、維持端の外側の表面と回転本体の外周面は同心の円弧状に形成され、第三浮子および第四浮子のカバーの外端面にはそれぞれ一個の導引部材が設けられ、それぞれの導引部材の自由端には一個の転動部材が設けられ、第三浮子または第四浮子が二個の導引軌条を通過した時、第三浮子または第二浮子の転動部材は通路を通過し、さらに二個の導引軌条の外側の表面に当接されることもできる。
【００３１】
また、回転子には他に複数個の外導引軌条が含まれ、複数個の外導引軌条はそれぞれ回転本体の二個の端面に設けられ、第一浮子、第二浮子、第三浮子および第四浮子のカバーの外端面の両側に複数個の位置決め部材が突設され、複数個の位置決め部材はそれぞれ対応する外導引軌条の中に移動自在に設けられることもできる。また、同じ端面に設けられた複数個の外導引軌条の背面は他に自由端に隣接する部位において一個の環状部材によって連接することもできる。
【００３２】
また、隔離部材は弾性を有する浸透防止の材料から製造され、隔離部材の一端は回転本体の外周面に結合され、他端は対応するカバーの外側の表面に結合されることもできる。また、それぞれのカバーには回転子の回転方向に沿った前端において一個の破水部が設けられ、破水部の端縁の中央は突出した円錐角の形状に形成され、さらに中央から両側へ向かって延伸してカバーの側端面に連接することもできる。
【００３３】
また、液体タンクの中に液体が収容され、回転本体は一個の予備浮力を発生し、浮子が回転本体に対して伸縮作動を制御することにより、回転本体の局部の浮力は変化を発生し、回転本体に平衡を失わせて回転軸線を中心に回動させ、浮子が回転本体に従って回転軸線を中心に一周を回転すると同時に、回転本体の外周面に対して一回の伸縮の循環を完成し、一回の伸縮の循環は四個のストロークに分けられ、四個のストロークはそれぞれ一個の浮子内隠ストローク、一個の浮子漸伸ストローク、一個の浮子全露ストロークと一個の浮子漸縮ストロークからなり、液体タンクの中の空間は四個のエリアに分けられ、四個のエリアは回転子の回転方向に従って順序的に一個の浮子内隠エリア、一個の浮子漸伸エリア、一個の浮子全露エリアと一個の浮子漸縮エリアからなり、浮子の浮子内隠ストロークは浮子内隠エリアの中に位置を合わせられ、かつ浮子は最大縮入量の形態に達するように維持され、浮子は回転中の回転本体に連動されて浮子内隠エリアから浮子漸伸エリアに進入する時、浮子は浮子漸伸ストロークに進入し、浮子漸伸エリアの中において次第にその伸出量を増やし続け、浮子全露エリアに進入する時まで、最大伸出量の形態に達するように形成され、また浮子の浮子全露ストロークは浮子全露エリアの中に位置を合わせられ、浮子が最大伸出量の形態に達するように維持することによって回転本体が回動するのを駆動し、また浮子は回転中の回転本体に連動されて浮子全露エリアから浮子漸縮エリアに進入する時、浮子は浮子漸縮ストロークに進入し、浮子漸縮エリアの中において次第にその伸出量を減らし続け、浮子内隠エリアに進入する時まで、再び浮子内隠ストロークに進入して最大縮入量の形態に達するように形成されることもできる。
【００３４】
また、浮子漸伸エリアは液面の下に位置し、浮子漸縮エリアは液面の上に位置することもできる。
【００３５】
また、浮子内隠エリアと浮子全露エリアは回転本体の半径方向において対角に設置するように形成され、浮子漸伸エリアと浮子漸縮エリアは回転本体の半径方向において対角に設置するように形成され、浮子の浮子内隠ストローク、浮子漸伸ストローク、浮子全露ストロークと浮子漸縮ストロークは回転本体の半径方向において等角で分布するように形成されることもできる。
【００３６】
また、少なくとも一個の浮子には一個の第一浮子および一個の第二浮子が含まれ、第二浮子は回転本体の半径方向において第一浮子と相対し、第一浮子または第二浮子のその内の一個の浮子が浮子内隠ストロークに進入する時、もう一個の浮子は浮子全露ストロークに進入し、第一浮子または第二浮子のその内の一個の浮子が浮子漸伸ストロークに進入する時、もう一個の浮子は浮子漸縮ストロークに進入することもできる。
【００３７】
また、浮子が浮子漸伸ストローク、浮子全露ストロークと浮子漸縮ストロークの中の伸出量は一個の円弧形の径路に形成されることもできる。
【００３８】
また、浮子は浮子漸伸ストロークの中において、その伸出量は回転本体が回転軸線に相対する回転に従って曲率半径が次第に増える一個の円弧形の径路が形成され、浮子は浮子全露ストロークの中において、その伸出量は回転本体の回転に従って同じ曲率半径の一個の円弧形の径路が形成され、浮子は浮子漸縮ストロークの中において、その伸出量は回転本体が回転軸線に相対する回転に従って曲率半径が次第に減る一個の円弧形の径路が形成されることもできる。
【発明の効果】
【００３９】
本発明の浮力駆動の運動エネルギー発生装置によれば、総浮力の数値を高めるとともに、作動時の抵抗力を低く抑えることにより、スムースに運転して運動エネルギー発生の効率を高めることができるという利点がある。
【００４０】
本発明の浮力駆動の運動エネルギー発生装置によれば、構造が簡単で、製造、組立て、メンテナンスのコストを低く抑えることができるという利点がある。
【図面の簡単な説明】
【００４１】
【図１】図１は、本発明の実施例１の局部断面の斜視分解説明図である。
【図２】図２は、本発明の実施例１の側面断面構造の説明図である。
【図３】図３は、本発明の実施例１の浮子の局部の斜視分解図である。
【図４】図４は、本発明の実施例１の浮子が伸出して隔離部材が引っ張られていない状態の説明図である。
【図５】図５は、本発明の実施例１の浮子が縮入して隔離部材が引っ張られた状態の説明図である。
【図６】図６は、本発明の実施例１の回転子が時計回りの方向で回転する時の浮子の伸出量の説明図である。
【図７】図７は、本発明の実施例１が一個の浮子を有する第一作動状態の説明図である。
【図８】図８は、本発明の実施例１が一個の浮子を有する第二作動状態の説明図である。
【図９】図９は、本発明の実施例１が一個の浮子を有する第三作動状態の説明図である。
【図１０】図１０は、本発明の実施例１が一個の浮子を有する第四作動状態の説明図である。
【図１１】図１１は、本発明の実施例１が三個の浮子を有する第一作動状態の説明図である。
【図１２】図１２は、本発明の実施例１が三個の浮子を有する第二作動状態の説明図である。
【図１３】図１３は、本発明の実施例１が三個の浮子を有する第三作動状態の説明図である。
【図１４】図１４は、本発明の実施例２の局部の斜視分解図である。
【図１５】図１５は、本発明の実施例２が二個の浮子を有する第一作動状態の説明図である。
【図１６】図１６は、本発明の実施例２の浮子が二個の導引軌条の導引によって伸縮時の説明図である。
【図１７】図１７は、本発明の実施例２が二個の浮子を有する第二作動状態の説明図である。
【図１８】図１８は、本発明の実施例２が二個の浮子を有する第三作動状態の説明図である。
【図１９】図１９は、本発明の実施例２が二個の浮子を有する第四作動状態の説明図である。
【図２０】図２０は、本発明の実施例３が二個の浮子を有する第一作動状態の説明図である。
【図２１】図２１は、本発明の実施例４が四個の浮子を有する第一作動状態の説明図である。
【図２２】図２２は、本発明の実施例４が四個の浮子を有する第二作動状態の説明図である。
【図２３】図２３は、本発明の実施例５が四個の浮子を有する作動状態の説明図である。
【図２４】図２４は、本発明の回転子が時計逆回りの方向で回転する時の浮子の伸出量の説明図である。
【図２５】図２５は、従来の浮子駆動の運動エネルギー発生装置の実施状態の説明図である。
【発明を実施するための形態】
【実施例１】
【００４２】
本発明の実施の形態について、以下、図面を参照して説明する。
【００４３】
図１は本発明の実施例１の局部断面の斜視分解説明図である。図１を参照すると、浮力駆動の運動エネルギー発生装置には大体として一個の基座１、一個の回転子２、少なくとも一個の浮子３および一個の伸縮制御モジュール４が含まれる。回転子２は回転自在に基座１に設けられ、少なくとも一個の浮子３は伸縮自在に回転子２に設けられ、伸縮制御モジュール４は基座１に設けられることにより、少なくとも一個の浮子３が回転子２に相対して伸縮するのを制御することができる。本発明の実施例１において、少なくとも一個の浮子３の数は選択的に一個からなることができ、そして「第一浮子３ａ」として表示する。
【００４４】
基座１は流動可能な作動媒体を収容するのに用いられ、上記作動媒体は選択のに液体からなることができ、さらに回転子２と伸縮制御モジュール４などの部材が組み立てて位置決めするのに用いることができる。さらに詳しく言えば、基座１には液体を収容できる一個の液体タンク１１と二個の軸固定部１２が含まれ、二個の軸固定部１２はそれぞれ液体タンク１１の二個の相対する外側の表面に設けられ、さらに同じ軸で相対するように形成される。
【００４５】
本実施例において、それぞれの軸固定部１２は軸受を有する一個の板片からなり、そして選択のに液体タンク１１の二個の相対する内側の表面においてそれぞれ一個の支持体１１１が設けられることにより、それぞれの軸固定部１２は液体タンク１１の外側の表面から対応する支持体１１１まで組み立てて位置決めされる。その中に、液体タンク１１と二個の軸固定部１２の間には例えば漏洩防止の座金（図示せず）などの液体漏洩防止の部材を設けることにより、回転子２の局部は液体タンク１１の側端面に貫穿し、そして液体を漏洩しないように維持することができる。
【００４６】
図２は本発明の実施例１の側面断面構造の説明図である。図１、２を参照すると、回転子２は回転自在に基座１に設けられる。さらに詳しく言えば、回転子２には一個の回転本体２１と一個の軸部２２が含まれ、回転本体２１の内部は中空で収容物質を収容することができ、上記物質の密度は液体タンク１１の中に収容される液体の密度より小さく、そして上記物質は気体または固体（例えば、発泡スチロール、低密度の木材）からなることができる。或いは、回転本体２１は直接選択的に低密度の固体から製造することができ、さらに回転本体２１は液体タンク１１に収容される液体の中において回転本体２１を浮き上がらせるような浮力を有することを原則とする。
【００４７】
本実施例において、回転本体２１は選択的に内部が中空の円柱形の一個の框体からなることにより、回転本体２１の内部は直接最も簡単に取得できる空気を収容することができるため、コストを下げることができる。回転本体２１の外表面には二個の相対する端面２１ａと一個の外周面２１ｂが含まれ、外周面２１ｂは二個の端面２１ａと連接し、外周面２１ｂには浮子３の数に対応した溝口２１１が設けられる。例えば、本実施例において、一個の第一浮子しか設けていないため、外周面２１ｂには一個の第一溝口２１１ａしか設けていない。
【００４８】
回転子２の軸部２２は回転本体２１の二個の端面２１ａから突き出て基座１の二個の軸固定部１２と連接するため、回転本体２１は液体タンク１１の中に収容され、そして軸部２２の回転軸線を中心として液体タンク１１の中に回動することができる。本実施例において、軸部２２は二個の回転軸２２ａ、２２ｂからなることができ、二個の回転軸２２ａ、２２ｂの内部にはそれぞれ軸方向へ貫穿するように一個の軸孔２２１が含まれ、二個の回転軸２２ａ、２２ｂは同軸で相対し、二個の回転軸２２ａ、２２ｂはそれぞれ一端から回転本体２１の二個の端面２１ａに設けられ、そして二個の回転軸２２ａ、２２ｂはそれぞれ他端から液体タンク１１を貫穿して通過し、二個の軸固定部１２まで連接されることにより、二個の軸孔２２１によって回転本体２１の内部と液体タンク１１の外部を連通する。
【００４９】
これにより、回転子２の回転本体２１は液体タンク１１の中において基座１に対して回転することができ、さらにそれによって回転本体２１の内部空間は空になってその他の部材を設置するのに提供することができるため、それぞれの部材が空間の設置において制限されるのを減らすことができると同時に、回転子２の全体重量を軽く減らし、組立時の利便性を高めるのに役立つことができる。
【００５０】
他に、軸部２２は回転本体２１を貫穿する一個の回転軸からなることができ、さらに回転本体２１を液体タンク１１の中に基座１に対して回転させることは、本発明の分野において通常の知識を有する者には理解できるもので、また使用の需要に応じて変化を行なうことができるものであるため、本発明においては制限しない。さらに、回転子２には複数個の外導引軌条２３が設けられ、複数個の外導引軌条２３はそれぞれ回転本体２１の二個の端面２１ａに設けられることにより、第一浮子３ａの伸縮作動を導引することができる。
【００５１】
第一浮子３ａは伸縮自在に回転本体２に設けられ、図１、２に示される実施例において、第一浮子３ａは選択的に回転本体２１の外周面２１ｂに設けられることにより、回転本体２１の半径方向において伸縮の変位を生じることができる。さらに詳しく言えば、図２、３を同時に参照すると、第一浮子３ａには一個のカバー３１と一個の隔離部材３２が含まれ、カバー３１の内部にはデフォルトの容積の空間が含まれ、カバー３１の一端は開放状に形成される。カバー３１は回転本体２１の第一溝口２１１ａに設けられ、カバー３１の開口端は回転本体２１の内部に向くように形成され、そしてカバー３１は隔離部材３２によって回転本体２１と互いに連接するため、回転本体２１の内部空間と液体タンク１１内の液体は隔離して互いに連通しないように確保することができる。
【００５２】
本実施例において、隔離部材３２は弾性を有する浸透防止の材料から製造され、さらに選択的に隔離部材３２の一端は回転本体２１の外周面２１ｂに結合され、他端はカバー３１の外側の表面に結合されることにより、液体タンク１１の中の液体はカバー３１と回転本体２１の内部に漏洩して流入することはない。また、隔離部材３２と回転本体２１の間は結合後に隙間がない方式で結合され、例えば接着剤による結合で結合され、そして結合された後に他に複数個の固定部材（図示せず）と合わせて固定することにより、結合の安定性を高めることができる。
【００５３】
図４は本発明の実施例１の浮子が伸出して隔離部材が引っ張られていない状態の説明図で、図４を参照すると、第一浮子３ａが回転本体２１の外周面２１ｂに相対して縮入していない状態（または伸出運動の発生）時、隔離部材３２は引っ張られていない状態（または次第に引っ張られていない状態まで回復）に形成される。それに対し、図５は本発明の実施例１の浮子が縮入して隔離部材が引っ張られた状態の説明図で、図６を参照すると、第一浮子３ａが回転本体２１の外周面２１ｂに相対して縮入運動が生じる時、隔離部材３２は持続的に引っ張られるために弾性変形が生じられ、このようにして、第一浮子３ａは隔離部材３２によってカバー３１が回転本体２１に対する伸縮の幅を増やすことができる。
【００５４】
再び図２、３を参照すると、カバー３１の外端面は円弧状に形成され、そして好ましくは弧度は回転本体２１の外周面２１ｂの弧度と同じになるように形成されるため、カバー３１が回転本体２１の内部に縮入した時、カバー３１の外表面と回転本体２１の外周面２１ｂは連続の円弧面に形成されることにより、液体に進入する時の抵抗力を減らすことができる。また、カバー３１には回転子２の回転方向に沿った前端において一個の破水部３１１が設けられ、破水部３１１の端縁の中央は突出した円錐角の形状に形成され、さらに中央から両側へ向かって延伸してカバー３１の側端面に連接することにより、第一浮子３ａが浮き上がる時の抵抗力を減らすとともに、速度を増やすことができる。
【００５５】
その他に、第一浮子３ａはカバー３１の外端面において一個の導引部材３３と複数個の位置決め部材３４が設けられ、導引部材３３は選択的にカバー３１の外端面の中央に設けられ、導引部材３３の長さは好ましくは調整できるものである。導引部材３３の自由端には一個の転動部材３３１が設けられることにより、導引部材３３が伸縮制御モジュール４に接触する時、転動部材３３１によって伸縮制御モジュール４においてスムースかつ連続的に変位するように形成される。複数個の位置決め部材３４は選択的にカバー３１の外端面に隣接する両側に設けられることにより、それぞれ対応する外導引軌条２３の中に位置決めされるため、カバー３１は外導引軌条２３の導引方向にしか変位することができないように制限することができる。
【００５６】
再び図１、２、３を参照すると、伸縮制御モジュール４は基座１の液体タンク１１の中に設けられることにより、回転本体２１の回転時において第一浮子３ａが回転本体２１に相対して伸縮するのを制御する。本実施例において、伸縮制御モジュール４には一個の制御導引部材４１と一個の第一平衡ユニット４２ａが含まれ、制御導引部材４１は液体タンク１１の内壁に設けられ、第一平衡ユニット４２ａは回転本体２１の内部に設けられて第一浮子３ａを作動させ、そして第一平衡ユニット４２ａによって第一浮子３ａの内、外両端の負荷力を平衡することにより、第一浮子３ａは制御導引部材４１に接触するように維持することができる。
【００５７】
さらに詳しく言えば、制御導引部材４１は一個の略環状の導引部材からなり、制御導引部材４１には複数個の位置決め材４１１が設けられ、複数個の位置決め材４１１は液体タンク１１の内壁に固設されることにより、制御導引部材４１は液体タンク１１の中に収容され、さらに回転本体２１の外部を囲むように形成される。その中に、組立時の利便性を高めるため、制御導引部材４１は複数個の略円弧形の板体を互いに接合して構成することができ、複数個の板体の長さは同じ長さまたは異なる長さからなることは、本発明の分野に通常の知識を有する者には使用の需要性に応じて調整できるものであるため、本発明においては制限されていない。
【００５８】
制御導引部材４１は順序に従って互いに連接する一個の第一維持端４１２、一個の第一変位制御段４１３、一個の第二維持端４１４と一個の第二変位制御段４１５からなり、そして第二変位制御段４１５はまた第一維持端４１２と連接するため、制御導引部材４１は連続した封止環状の内表面を有するように形成される。その中に、第一維持端４１２と第二維持端４１４の内表面はそれぞれ回転本体２１の外周面２１ｂと同心の円弧状に形成され、そして第一維持端４１２の曲率半径は第二維持端４１４の曲率半径より小さく、第一変位制御段４１３の内表面から回転本体２１の軸心までの直線距離は第一維持端４１２に連接する部位から第二維持端４１４に連接する部位まで次第に増えるように形成され、第二変位制御段４１５の内表面から回転本体２１の軸心までの直線距離は第二維持端４１４に連接する部位から第一維持端４１２に連接する部位まで次第に減るように形成される。
【００５９】
第一維持端４１２と第二変位制御段４１５の接続する部位には一個の連接点Ｐ１が含まれ、第一変位制御段４１３と第二維持端４１４の接続する部位には一個の連接点Ｐ２が含まれ、連接点Ｐ１から回転本体２１の軸心まで、および回転本体２１の軸心から連接点Ｐ２までの直線距離は一本の伸縮終点境界線Ｌ１に形成され、連接点Ｐ１と連接点Ｐ２は好ましくは回転本体２１の半径方向において相対するように形成されることにより、伸縮終点境界線Ｌ１は一直線に形成される。
【００６０】
他に、第一維持端４１２と第一変位制御段４１３の接続する部位には一個の連接点Ｐ３が含まれ、第二維持端４１４と第二変位制御段４１５の接続する部位には一個の連接点Ｐ４が含まれ、連接点Ｐ３から回転本体２１の軸心まで、および回転本体２１の軸心から連接点Ｐ４までの直線距離は一本の伸縮始点境界線Ｌ２に形成され、連接点Ｐ３と連接点Ｐ４は好ましくは在回転本体２１の半径方向において相対するように形成されることにより、伸縮始点境界線Ｌ２は一直線に形成され、そして伸縮終点境界線Ｌ１と伸縮始点境界線Ｌ２は直交することができる。
【００６１】
再び図２、３を参照すると、第一平衡ユニット４２ａには一個の第一支持座４２１、一個の第二支持座４２２と一個の弾性復元部材４２３が含まれ、第一支持座４２１は回転本体２１の内壁に結合され、第二支持座４２２は第一浮子３ａのカバー３１の内壁に結合され、そして第二支持座４２２は第一支持座４２１に対して回転本体２１が半径方向における往復の変位を生じさせることができる。例えば、第一支持座４２１には一個のプシュ４２１１が設けられ、第二支持座４２２には一個の軸桿４２２１が設けられることにより、軸桿４２２１は変位自在にプシュ４２１１の中に貫穿され、または反対に軸桿を設第一支持座４２１に設置し、プシュを第二支持座４２２に設置することができる。
【００６２】
弾性復元部材４２３は弾性変形能力を有する部材（例えば、ばねまたは弾性片）からなり、弾性復元部材４２３の両端はそれぞれ第一支持座４２１と第二支持座４２２に当接することにより、第一浮子３ａの内、外両端の負荷力を平衡することができる。すなわち、第一浮子３ａが制御導引部材４１によって押圧される時、弾性復元部材４２３は第二支持座４２２を押圧することができるため、浮子３は制御導引部材４１と接触するように維持することができる。または、第一浮子３ａが制御導引部材４１によって引っ張られる時、弾性復元部材４２３も第二支持座４２２を引っ張ることができるため、第一浮子３ａは制御導引部材４１と接触するように維持することができる。
【００６３】
本実施例において、弾性復元部材４２３は選択的に一個の圧縮ばねからなることができ、さらにプシュ４２１１の外に嵌設され、プシュ４２１１によって弾性復元部材４２３は軸方向の変形しか生じることができないように維持することができる。他に、その他の実施例において、第一平衡ユニット４２ａも電気制御または油圧、気圧シリンダーを有するユニットからなることができ、そして同様に第一浮子３ａを作動することができる。
【００６４】
図６は本発明の実施例１の回転子が時計回りの方向で回転する時の浮子の伸出量の説明図である。図２、６を参照すると、図６の中の斜線エリアは第一浮子３ａが液体タンク１１の中の各部位の伸出量を表す。浮力駆動の運動エネルギー発生装置が作動する時、第一浮子３ａは回転本体２１に従って一周を回転すると同時に、回転本体２１の外周面２１ｂに対して一回の伸縮の循環を完成する。そして一回の伸縮の循環は四個のストロークに分けられ、上記四個のストロークはそれぞれ一個の浮子内隠ストローク、一個の浮子漸伸ストローク、一個の浮子全露ストロークと一個の浮子漸縮ストロークからなる。
【００６５】
第一浮子３ａの上記浮子内隠ストロークは最大縮入量（すなわちその伸出量は最小である）の形態に達するように維持し、第一浮子３ａの上記浮子漸伸ストロークは次第にその伸出量を増やし、第一浮子３ａの上記浮子全露ストロークは最大伸出量の形態に達するように維持し、第一浮子３ａの上記浮子漸縮ストロークは次第にその伸出量を減らし、さらに上記浮子内隠ストロークに戻った時に最大縮入量の形態に達するように形成される。
【００６６】
伸縮終点境界線Ｌ１と伸縮始点境界線Ｌ２によって液体タンク１１の中の空間は四個のエリアに分けられ、伸縮終点境界線Ｌ１を始点とし、回転子２の回転方向に従って順序的に一個の浮子内隠エリアＺ１、一個の浮子漸伸エリアＺ２、一個の浮子全露エリアＺ３と一個の浮子漸縮エリアＺ４からなる。すなわち、浮子内隠エリアＺ１、浮子漸伸エリアＺ２、浮子全露エリアＺ３と浮子漸縮エリアＺ４はそれぞれ制御導引部材４１の第一維持端４１２、第一変位制御段４１３、第二維持端４１４と第二変位制御段４１５に対応することにより、第一浮子３ａはそれぞれ浮子内隠ストローク、浮子漸伸ストローク、浮子全露ストロークと浮子漸縮ストロークを行なうことができる。
【００６７】
また、液体タンク１１の中に収容される液体は、その液面Ｆの高さは好ましくは回転本体２１の上半部に伸縮終点境界線Ｌ１が通過した部位（図６の中のＣ点）に位置することにより、浮子漸伸エリアＺ２は液面Ｆの下に位置し、浮子漸縮エリアＺ４は液面Ｆの上に位置するため、第一浮子３ａが浮子漸縮エリアＺ４に進入する時に空気の中において殆ど液体の抵抗力の影響を受けずにスムースに回転本体２１の内部に縮入するのを確保することができ、さらに最大縮入量の形態に達するように形成されて液体の中に進入し、同様に第一浮子３ａが液体の抵抗力の影響を受けて液体に進入する瞬間に回転本体２１の回転の抵抗力として形成されるのを減らすことができるため、浮力駆動の運動エネルギー発生装置全体が運動エネルギーを発生させる効率を高めるのに役立つことができる。
【００６８】
これにより、第一浮子３ａの浮子内隠ストロークは浮子内隠エリアＺ１の中に位置を合わせるように形成され、さらに最大縮入量（すなわちその伸出量は最小である）の形態に達するように維持する。第一浮子３ａは回転中の回転本体２１に連動されて浮子内隠エリアＺ１から浮子漸伸エリアＺ２に進入する時、第一浮子３ａは浮子漸伸ストロークに進入し、さらに浮子漸伸エリアＺ２の中において次第にその伸出量を増やし続け、浮子全露エリアＺ３に進入する時まで、最大伸出量の形態に達するように形成される。
【００６９】
第一浮子３ａは浮子全露エリアＺ３の中において浮子全露ストロークを行ない、さらに最大伸出量の形態に達するように維持することによって回転本体２１が回動するのを駆動する。浮子３は回転中の回転本体２１に連動されて浮子全露エリアＺ３から浮子漸縮エリアＺ４に進入する時、第一浮子３ａは浮子漸縮ストロークに進入し、さらに浮子漸縮エリアＺ４の中において次第にその伸出量を減らし続け、浮子内隠エリアＺ１に進入する時まで、再び浮子内隠ストロークに進入して最大縮入量の形態に達するように形成される。
【００７０】
このように、本発明において第一浮子３ａは浮子漸伸ストローク、浮子全露ストロークと浮子漸縮ストロークの中における伸出量を一個の円弧形の径路に形成させることができ、さらに上記円弧形の径路によって回転本体２１回転時の抵抗力を有効に低く抑えることにより、回転本体２１がスムースに回転するのを維持することができる。本実施例において、第一浮子３ａは浮子漸伸ストロークの中において、その伸出量は回転本体２１の回転に従って曲率半径が次第に増える一個の円弧形の径路を形成する。第一浮子３ａは浮子全露ストロークの中において、その伸出量は回転本体２１の回転に従って同じ曲率半径の一個の円弧形の径路を形成する。第一浮子３ａは浮子漸縮ストロークの中において、その伸出量は回転本体２１の回転に従って曲率半径が次第に減る一個の円弧形の径路を形成する。
【００７１】
図７は本発明の実施例１が一個の浮子を有する第一作動状態の説明図である。図７を参照すると、本発明の実施例１の浮力駆動の運動エネルギー発生装置は、液体タンク１１の中に充分の量の液体を注入していないその内の一つの状態で、第一浮子３ａを浮子全露エリアＺ３の中に位置するように設置し、第一浮子３ａは第一平衡ユニット４２ａによってカバー３１を押圧することにより、第一浮子３ａの導引部材３３の転動部材３３１は制御導引部材４１の第二維持端４１４に接触するように維持するため、最大伸出量の形態に達するように形成される。
【００７２】
液体タンク１１の中に充分の量の液体が注入された時、回転本体２１は上記液体の中において相当大きな予備浮力が生じられる。同時に、浮子全露エリアＺ３の中に位置し、かつ浮子全露ストロークのために最大伸出量に達するように形成される第一浮子３ａは、そのカバー３１の内部の空間が空気を有し、そして空気密度が液体タンク１１の中の液体より低く、余分に局部的に回転本体２１の浮力を増やすことができるため、回転本体２１は平衡を失って回動し始める。
【００７３】
図８は本発明の実施例１が一個の浮子を有する第二作動状態の説明図である。図８を参照すると、第一浮子３ａは回転本体２１の回動に従って第二維持端４１４と第二変位制御段４１５の接続する部位（すなわち連接点Ｐ４の位置である）まで移動して通過した後、制御導引部材４１は第二変位制御段４１５から第一浮子３ａに対して推力を提供し始めることにより、第一浮子３ａは浮子漸縮ストロークに進入して次第にその伸出量を減らし、回転本体２１の内部に縮入する。
【００７４】
また、回転本体２１は回動し続けるため、第一浮子３ａが浮子漸縮エリアＺ４に進入する時に液面Ｆから離脱することができ、さらに回転本体２１の内部に縮入する動作を行ない続ける。その中に、第一浮子３ａの破水部３１１によってカバー３１が上記液体の中における移動時の抵抗力を減らすのに役立つことができるため、第一浮子３ａが回転本体２１を連動して回転する順調を高めることができ、さらに不要な運動エネルギーの損失を減らすことができるため、浮力駆動の運動エネルギー発生装置の効能を高めるのに役立つことができる。
【００７５】
図９は本発明の実施例１が一個の浮子を有する第三作動状態の説明図である。図９を参照すると、第一浮子３ａは回転本体２１の回動に従って圧縮されて伸出量を減らし続け、第一浮子３ａが第二変位制御段４１５と第一維持端４１２の接続する部位（すなわち連接点Ｐ１の位置）まで移動した時、第一浮子３ａはすでに押し入れられて最大縮入量に達するように形成されるため、最小抵抗力の形態で再び上記液体の中に進入し、そして浮子内隠エリアＺ１の中に進入する。この時、制御導引部材４１は第一浮子３ａの推移を停止し、制御導引部材４１の第一維持端４１２だけによって第一浮子３ａを最大縮入量の形態に達するように維持することができる。
【００７６】
第一浮子３ａが回転本体２１の回動に従って第一維持端４１２と第一変位制御段４１３の接続する部位（すなわち連接点Ｐ３の位置）まで移動して通過した後、第一浮子３ａは第一平衡ユニット４２ａによってカバー３１を押圧することにより、第一浮子３ａの導引部材３３の転動部材３３１を制御導引部材４１の第一変位制御段４１３に接触するように維持させ、第一浮子３ａを浮子漸伸ストロークに進入させ、浮子漸伸エリアＺ２の中において次第にその伸出量を増やして回転本体２１の外表面から突出するため、次第に浮力を増やし、回転子２が回転するのを連動する助力に形成することができる。
【００７７】
図１０は本発明の実施例１が一個の浮子を有する第四作動状態の説明図である。最後に図１０を参照すると、第一浮子３ａが回転本体２１の回動に従って第一変位制御段４１３と第二維持端４１４の接続する部位（すなわち連接点Ｐ２の位置）移動して通過した後、第一浮子３ａは再び浮子全露エリアＺ３の中に戻って一回の伸縮の循環を完成することができる。
【００７８】
簡単に言えば、本発明の実施例１の浮力駆動の運動エネルギー発生装置においては、その第一浮子３ａは第一平衡ユニット４２ａによって制御導引部材４１に接触するように維持することができるため、制御導引部材４１の第一維持端４１２、第一変位制御段４１３、第二維持端４１４と第二変位制御段４１５の導引に従って回転本体２１に対して伸縮が生じることにより、一回の伸縮の循環において浮子内隠ストローク、浮子漸伸ストローク、浮子全露ストロークと浮子漸縮ストロークを完成し、回転子２が回転するのを連動する助力に形成することができる。
【００７９】
これにより、回転子２の軸部２２が一個の発電機または一個の軸動力で直接駆動できる装置と連接する時、本発明の浮力駆動の運動エネルギー発生装置では浮力を利用して運動エネルギーを発生し、回転子２の軸部２２によって発電機を発電するように駆動し、または軸動力で駆動できる装置を直接駆動して作動することにより、グリーンエネルギー環境保全の発展傾向に符合することができる。
【００８０】
注意しなければならないのは、図４を参照すると、第一浮子３ａは隔離部材３２によってカバー３１が回転本体２１に対する伸縮の幅を増やすことができる。図９に示すように、第一浮子３ａが浮子内隠ストロークを行なう時、第一浮子３ａのカバー３１を回転本体２１の外表面と連続した円弧面まで縮入させることにより、液体に進入する時の抵抗力を減らすことができる。また、図７に示すように、第一浮子３ａが浮子全露ストロークを行なう時、第一浮子３ａのカバー３１を回転本体２１の外表面から完全に伸出させ、さらには第一浮子３ａのカバー３１の底端を回転本体２１の外表面から離脱させ、隔離部材３２によって回転本体２１と連接することにより、第一浮子３ａが受けられる浮力を増やすことができるため、浮力駆動の運動エネルギー発生装置の作動の効率を高めるのに役立つことができる。
【００８１】
他に、浮力駆動の運動エネルギー発生装置は一個の第一浮子３ａだけからなる場合、そしてそれぞれの部材の作動時の摩擦力を容易に下げることができない場合、浮力駆動の運動エネルギー発生装置から発生する運動エネルギーが予期される目標に達するのを増加かつ確保するべく、選択的に回転子２のその内の一個の回転軸２２ａまたは２２ｂを動力の入力軸とし、一個の駆動装置と連接して少量の運動エネルギーを引き続き入力することにより、浮力駆動の運動エネルギー発生装置がスムースに作動するのを維持することができる。
【００８２】
または、選択的に複数個の浮力駆動の運動エネルギー発生装置を直列し、さらに複数個の浮力駆動の運動エネルギー発生装置の第一浮子３ａを一個の投影平面において異なる位置（すなわち複数個の浮力駆動の運動エネルギー発生装置の第一浮子３ａは交錯に設置される）に分布させることにより、複数個の浮力駆動の運動エネルギー発生装置が同時に作動する時、持続的に回転の助力を発生することができるため、それぞれの浮力駆動の運動エネルギー発生装置の作動の効率を高めることができる。
【００８３】
そのために、その他の実施例において、浮力駆動の運動エネルギー発生装置は選択的に同時に複数個の浮子３を有するように形成させることができ、そして奇数個または偶数個の浮子３であっても、全て持続的に回転本体２１に対して回動の助力を提供することができるため、浮力駆動の運動エネルギー発生装置の作動の効率を高めることができる。その中に、複数個の浮子３は好ましくは等間隔で回転本体２１の外周面２１ｂに設けられることにより、さらに進んで回転本体２１の回転時の安定性を高めることができる。
【００８４】
図１１は本発明の実施例１が三個の浮子を有する第一作動状態の説明図で、図１２は本発明の実施例１が三個の浮子を有する第二作動状態の説明図で、図１３は本発明の実施例１が三個の浮子を有する第三作動状態の説明図である。図１１、１２、１３を参照すると、浮力駆動の運動エネルギー発生装置には三個の浮子（一個の第一浮子３ａおよび二個の第二浮子３ｂとして表示する）が含まれる。
【００８５】
外周面２１ｂには他に二個の第二溝口２１１ｂが設けられ、二個の第二浮子３ｂ、３ｃが設置するのに用いられる。伸縮制御モジュールには他に複数個の第二平衡ユニット４２ｂが含まれ、それぞれの第二平衡ユニット４２ｂは回転本体２１の内部に設けられ、それぞれ二個の第二浮子３ｂ、３ｃを作動させて制御導引部材４１に接触するように維持する。そして第一浮子３ａ、二個の第二浮子３ｂ、３ｃはそれぞれ回転本体２１に従って一周を回転すると同時に、回転本体２１の外周面２１ｂに相対して一回の伸縮の循環を完成することができる。
【００８６】
このように、図１１に示される状態を例にすると、第一浮子３ａは制御導引部材４１の第一変位制御段４１３と第二維持端４１４の接続する部位（すなわち連接点Ｐ２の位置）に位置し、故に間もなく浮子漸伸ストロークから浮子全露ストローク（浮子漸伸エリアＺ２から浮子全露エリアＺ３に進入する）に進入する。この時、第一浮子３ａは最大伸出量の形態に達するように形成されるため、回転子２に対して回転の助力を提供することができる。同時に、その内の一個の第二浮子３ｂは浮子内隠エリアＺ１の中に位置して浮子内隠ストロークを行ない、第二浮子３ｂは最大縮入量の形態に達するように維持するため、回転子２の回転の抵抗力になるのを避けることができる。もう一個の第二浮子３ｃは浮子漸縮エリアＺ４の中に位置して浮子漸縮ストロークを行ない、空気中から次第に回転本体２１の内部に縮入される。これにより、第一浮子３ａはスムースに回転子２を連動して回転することができる。
【００８７】
それから、図１２を参照すると、第一浮子３ａが浮子全露エリアＺ３から離れて浮子漸縮エリアＺ４に進入した時、すなわち第二浮子３ｂは浮子漸伸エリアＺ２に進入し、そして直ちに浮子全露エリアＺ３に進入することにより、引き続き回転子２に対して回転の助力を提供する。それから、図１３を参照すると、第一浮子３ａが浮子漸縮エリアＺ４から離れて浮子内隠エリアＺ１に進入した時、もう一個の第二浮子３ｃは浮子漸伸エリアＺ２に進入し、そして直ちに浮子全露エリアＺ３に進入し、引き続き回転子２に対して回転の助力を提供する。このように、第一浮子３ａと二個の第二浮子３ｂ、３ｃによって順序に従って引き続き回転子２に対して回転の助力を提供することにより、回転子２は容易にそれぞれの部材の摩擦力を克服してスムースに回動するのを維持することができるため、浮力駆動の運動エネルギー発生装置の作動の効率を高めることができる。
【００８８】
注意しなければならないのは、図４、１１を参照すると、それぞれの浮子３（第一浮子３ａと二個の第二浮子３ｂ、３ｃ）は隔離部材３２を設置することによってそれぞれのカバー３１の長さを縮減することができ、そしていかなる一個の浮子３が浮子全露ストロークを行なう時、浮子３のカバー３１の底端は回転本体２１の外表面から離脱して隔離部材３２によって回転本体２１と連接し、故に浮子３にはカバー３１に隔離部材３２を加えて回転本体２１の外表面から延伸して超えた総容積が対応する浮力を発生させることができる。それに対し、いかなる一個の浮子３が浮子内隠ストロークを行う時、すなわち浮子３のカバー３１を回転本体２１の中に完全に縮入させても沢山の空間を占めることなく、それぞれの平衡ユニット４２の第二支持座４２２の底部は相対的に回転本体２１の軸心に近付かせる必要がないため、それぞれの第二支持座４２２は互いに干渉することなく、組立時の利便性を高めるのに役立つことができる。
【実施例２】
【００８９】
図１４は本発明の実施例２の局部の斜視分解図で、図１５は本発明の実施例２が二個の浮子を有する第一作動状態の説明図である。図１４、１５を参照すると、本発明の実施例２の浮力駆動の運動エネルギー発生装置には大体として一個の基座１、一個の回転子２、二個の浮子３と一個の伸縮制御モジュール５が含まれる。実施例２は大体として上述した実施例１と同じで、その主な差異は、本発明の実施例２の浮子３の数は選択的に二個（それぞれ第一浮子３ｐと第二浮子３ｑとして表示する）からなり、第一浮子３ｐと第二浮子３ｑは回転本体２１の半径方向において相対するように形成され、そして互いに連動して同期に回転本体２１に対して半径方向の変位を発生することができる。これにより、伸縮制御モジュール５の形態は上述した実施例１の伸縮制御モジュール４（例えば図１に示す如く）と異なるように形成することもできる。
【００９０】
さらに詳しく言えば、本実施例の浮力駆動の運動エネルギー発生装置には第一浮子３ｐと第二浮子３ｑが含まれるため、回転子２の回転本体２１の二個の端面２１ａには全てそれぞれ複数個の外導引軌条２３が設けられることにより、それぞれ対応する浮子３を導引して伸縮することができる。また、同じ端面２１ａに設けられた複数個の外導引軌条２３の背面は自由端に隣接する部位において一個の環状部材２４によって連接することにより、複数個の外導引軌条２３の構造強度を高め、それぞれの外導引軌条２３が傾いたりふらふらしたりするのを減らすことができるため、それぞれの浮子３を導引して伸縮する時の安定性を高めるのに役立つことができる。
【００９１】
再び図１４、１５を参照すると、実施例２の浮力駆動の運動エネルギー発生装置は一個の連動モジュール３５によって第一浮子３ｐおよび第二浮子３ｑのカバー３１と連接することにより、第一浮子３ｐと第二浮子３ｑを連動して同期に回転本体２１に対して半径方向の変位を発生することができる。本実施例において、第一浮子３ｐと第二浮子３ｑの導引部材３３は大体Ｔ字形に形成される。連動モジュール３５には二個の固定部材３５１と一個の連接桿３５２が含まれ、二個の固定部材３５１はそれぞれ第一浮子３ｐと第二浮子３ｑのカバー３１の内側に結合され、連接桿３５２の両端はそれぞれ二個の固定部材３５１と互いに結合する。連接桿３５２は好ましくは二個の固定部材３５１の中心位置に連接されることにより、均一に二個のカバー３１を連動することができる。
【００９２】
図１６は本発明の実施例２の浮子が二個の導引軌条の導引によって伸縮時の説明図である。図１５、１６を参照すると、伸縮制御モジュール５は回転本体２１の局部の外周面２１ｂと相対するように形成され、ただし限制を設けないように、本実施例においては選択的に伸縮制御モジュール５を回転本体２１の下半部に位置を合わせるように形成させる。その中に、伸縮制御モジュール５には一個のシートフレーム５１と二個の導引軌条５２が含まれ、シートフレーム５１は液体タンク１１の内壁に設けられる。二個の導引軌条５２は大体円弧形に形成され、二個の導引軌条５２はシートフレーム５１に結合され、さらに互いに平行して間隔をもって設置するように維持することにより、二個の導引軌条５２の間には一個の通路５３が形成される。
【００９３】
これにより、回転本体２１が回転して第一浮子３ｐまたは第二浮子３ｑの導引部材３３を二個の導引軌条５２と接触させる時、Ｔ字形の導引部材３３は通路５３の中に貫穿することができ、さらに導引部材３３の転動部材３３１によって二個の導引軌条５２の外側の表面に当接することができるため、二個の導引軌条５２によって導引部材３３のストロークを制御して引っ張り、さらに第一浮子３ｐまたは第二浮子３ｑは回転本体２１の外周面２１ｂに相対して伸縮するのを制御することにより、第一浮子３ｐと第二浮子３ｑは同期に回転本体２１に対して半径方向の変位を発生することができる。
【００９４】
再び図６、１５を参照すると、浮力駆動の運動エネルギー発生装置が作動する時、第一浮子３ｐと第二浮子３ｑはそれぞれ回転本体２１に従って一周を回転すると同時に、回転本体２１の外周面２１ｂに対して一回の伸縮の循環を完成する。そして一回の伸縮の循環は四個のストロークに分けられ、四個のストロークはそれぞれ一個の浮子内隠ストローク、一個の浮子漸伸ストローク、一個の浮子全露ストロークと一個の浮子漸縮ストロークからなる。
【００９５】
本実施例において、第一浮子３ｐまたは第二浮子３ｑの浮子内隠ストローク、浮子漸伸ストローク、浮子全露ストロークと浮子漸縮ストロークは好ましくは回転本体２１の半径方向において等角で分布するように形成されることにより、第一浮子３ｐの浮子内隠ストロークを同時に第二浮子３ｑの浮子全露ストロークに対応させ、第一浮子３ｐの浮子漸伸ストロークを同時に第二浮子３ｑの浮子漸縮ストロークに対応させ、第一浮子３ｐの浮子全露ストロークを同時に第二浮子３ｑの浮子内隠ストロークに対応させ、第一浮子３ｐの浮子漸縮ストロークを同時に第二浮子３ｑの浮子漸伸ストロークに対応させる。
【００９６】
また、それぞれの導引軌条５２の両端それぞれは一個の始端５２ａと一個の末端５２ｂからなり、それぞれの導引軌条５２は始端５２ａから末端５２ｂまでの延伸方向は大体回転子２の回転方向と同じであるため、第一浮子３ｐと第二浮子３ｑはそれぞれ二個の導引軌条５２の始端５２ａから二個の導引軌条５２の設置範囲に進入し、さらに二個の導引軌条５２の末端５２ｂより二個の導引軌条５２の設置範囲から離れることができる。それぞれの導引軌条５２が回転子２に従った回転方向には互いに連接する一個の変位制御段５２１と一個の維持端５２２が含まれ、変位制御段５２１の外側の表面から回転子２の軸心までの直線距離は一端から維持端５２２と連接する部位へ向かって次第に増加し、維持端５２２の外側の表面と回転本体２１の外周面２１ｂは同心の円弧状に形成される。
【００９７】
変位制御段５２１および維持端５２２の連接する部位と回転本体２１の軸心の間には一本の伸縮終点境界線Ｌ１’が含まれ、伸縮終点境界線Ｌ１’と水平線の間には好ましくは約４５°程度の角度が形成される。他に、一本の伸縮始点境界線Ｌ２’が定義され、伸縮始点境界線Ｌ２’は回転本体２１の軸心を通過し、さらに伸縮終点境界線Ｌ１’と直交するように形成される。
【００９８】
伸縮終点境界線Ｌ１’と伸縮始点境界線Ｌ２’によって液体タンク１１の中の空間を四個のエリアに分けられ、伸縮終点境界線Ｌ１’を始点とし、回転子２の回転方向に従って順序的に一個の浮子内隠エリアＺ１、一個の浮子漸伸エリアＺ２、一個の浮子全露エリアＺ３と一個の浮子漸縮エリアＺ４からなり、浮子内隠エリアＺ１と浮子全露エリアＺ３は回転本体２１の半径方向において対角に設置するように形成され、浮子漸伸エリアＺ２と浮子漸縮エリアＺ４は回転本体２１の半径方向において対角に設置するように形成されるため、第一浮子３ｐと第二浮子３ｑはそれぞれ浮子内隠ストローク、浮子漸伸ストローク、浮子全露ストロークと浮子漸縮ストロークを行なうことができる。
【００９９】
また、液体タンク１１の中に収容される液体は、その液面Ｆの高さは好ましくは回転本体２１の上半部に伸縮終点境界線Ｌ１’が通過した部位（図１５の中のＣ’点）に位置することにより、浮子漸伸エリアＺ２は液面Ｆの下に位置し、浮子漸縮エリアＺ４は液面Ｆの上に位置するため、第一浮子３ｐまたは第二浮子３ｑが浮子漸縮エリアＺ４に進入する時に空気の中において殆ど液体の抵抗力の影響を受けずにスムースに回転本体２１の内部に縮入するのを確保することができ、さらに最大縮入量の形態に達するように形成されて液体の中に進入し、同様に第一浮子３ｐまたは第二浮子３ｑが液体の抵抗力の影響を受けて液体に進入する瞬間に回転本体２１の回転の抵抗力として形成されるのを減らすことができるため、浮力駆動の運動エネルギー発生装置全体が運動エネルギーを発生させる効率を高めるのに役立つことができる。
【０１００】
再び図１５を参照すると、本発明の実施例２の浮力駆動の運動エネルギー発生装置は、液体タンク１１の中に充分の量の液体を注入していないその内の一つの状態で、第一浮子３ｐは浮子全露エリアＺ３の中に位置することができ、第一浮子３ｐは導引部材３３の転動部材３３１によって二個の導引軌条５２の維持端５２２に接触するように維持するため、最大伸出量の形態に達するように形成される。同時に、第二浮子３ｑは浮子内隠エリアＺ１の中に位置し、さらに最大縮入量の形態に達するように形成される。
【０１０１】
液体タンク１１の中に充分の量の液体が注入された時、回転本体２１は上記液体の中において相当大きな予備浮力が生じられ、そして浮子全露エリアＺ３の中に位置する第一浮子３ｐはそのカバー３１内部の空間によって余分に局部的に回転本体２１の浮力を増やすことができるため、回転本体２１は平衡を失って回動し始める。そのため、第一浮子３ｐの導引部材３３は浮子全露エリアＺ３の中において二個の導引軌条５２の維持端５２２の外側の表面と接触し、二個の導引軌条５２の末端５２ｂから離脱するまで維持することができる。
【０１０２】
図１７は本発明の実施例２が二個の浮子を有する第二作動状態の説明図である。図１７を参照すると、第一浮子３ｐが二個の導引軌条５２の維持端５２２から離脱した後、相対応する第二浮子３ｑは直ちにその導引部材３３の転動部材３３１によって二個の導引軌条５２の変位制御段５２１の外側の表面（すなわち第二浮子３ｑが伸縮始点境界線Ｌ２’まで位置を合わせた時）に接触し、二個の導引軌条５２によって第二浮子３ｑに対して引張力を提供し始め、第二浮子３ｑは浮子漸伸ストロークに進入して次第に回転本体２１の内部から伸出し、第一浮子３ｐと第二浮子３ｑを回転本体２１に対して半径方向の変位を発生させることにより、同期に第一浮子３ｐを連動して浮子漸縮ストロークに進入し、そして次第に回転本体２１の内部に縮入する。
【０１０３】
この時、浮力駆動の運動エネルギー発生装置は浮子漸伸エリアＺ２の中において次第に伸出量が増える第二浮子３ｑによって浮力を増やすことにより、回転本体２１を連動する回転の助力を引き続き形成することができる。それに対し、第一浮子３ｐは伸縮始点境界線Ｌ２’を通過した後に液面Ｆから浮き上がることができるため、液体の抵抗力がない環境で第二浮子３ｑによってスムースに連動することができ、そして第一浮子３ｐのカバー３１を次第に回転本体２１の内部に縮入させることができる。
【０１０４】
図１８は本発明の実施例２が二個の浮子を有する第三作動状態の説明図である。図１８を参照すると、第二浮子３ｑが二個の導引軌条５２の維持端５２２まで位置を合わせた時（すなわち第二浮子３ｑ對位至伸縮終点境界線Ｌ１’時）、第二浮子３ｑはすでに引っ張られて最大伸出量の形態まで達するように形成されるため、最大の浮力で回転本体２１を連動して回転することができる。同時に、すでに液面Ｆから離脱した第一浮子３ｐは最大縮入量の形態まで達するように連動されるため、最小抵抗力の形態で再び入液体の中に進入し、さらに浮子内隠エリアＺ１の中に進入する。
【０１０５】
第二浮子３ｑが二個の導引軌条５２の維持端５２２に位置を合わせる間には、二個の導引軌条５２は第二浮子３ｑを引っ張るのを停止し、二個の導引軌条５２の維持端５２２だけによって第二浮子３ｑを最大伸出量の形態に達して二個の導引軌条５２の末端５２ｂ（図１９に示す如く）から離脱するまで維持させる。それに対し、再び液体の中に進入される第一浮子３ｐは回転本体２１の持続的な回動に従って二個の導引軌条５２と互い位置を合わせる位置に回転し、さらに第一浮子３ｐの導引部材３３によって二個の導引軌条５２の変位制御段５２１の外側の表面に接触することにより、第一浮子３ｐは次第に回転本体２１の内部から再び最大伸出量の形態（図１５に示す如く）に達するように戻るまで伸出し、一回の伸縮の循環を完成することができる。
【実施例３】
【０１０６】
図２０は本発明の実施例３が二個の浮子を有する第一作動状態の説明図である。図２０を参照すると、実施例３は大体として上述した大実施例２と同じで、その主な差異は、伸縮制御モジュールの形態と設置の位置である。すなわち、上述した実施例２と違って実施例２は引張りの方式で第一浮子３ｐと第二浮子３ｑを連動するもので、実施例３は押圧の方式で第一浮子３ｐと第二浮子３ｑを連動するものである。
【０１０７】
さらに詳しく言えば、本実施例の伸縮制御モジュール６は基座１の液体タンク１１の中に設けられ、ただし限制を設けないように、伸縮制御モジュール６は大体回転本体２１の上半部に位置を合わせるように形成される。伸縮制御モジュール６には一個の圧板６１と複数個の位置決め材６２が含まれ、圧板６１は一個の大体円弧形の板体からなり、圧板６１の両端はそれぞれ一個の始端６１ａと一個の末端６１ｂからなり、圧板６１は始端６１ａから末端６１ｂまでの延伸方向は大体回転子２の回転方向と同じであるため、第一浮子３ｐと第二浮子３ｑはそれぞれ圧板６１の始端６１ａから圧板６１の設置範囲に進入し、さらに圧板６１の末端６１ｂより圧板６１の設置範囲から離れる。圧板６１が回転子２に従った回転方向には互いに連接する一個の変位制御段６１１と一個の維持端６１２が含まれ、変位制御段６１１の内表面から回転子２の軸心までの直線距離は一端から維持端６１２と連接する部位へ向かって次第に減り、そして維持端６１２の内表面と回転本体２１の外周面２１ｂは同心の円弧状に形成される。
【０１０８】
変位制御段６１１および維持端６１２の連接する部位と回転本体２１の軸心の間には一本の伸縮終点境界線Ｌ１’が含まれ、伸縮終点境界線Ｌ１’と水平線の間には好ましくは約４５°程度の角度が形成される。他に、一本の伸縮始点境界線Ｌ２’が定義され、伸縮始点境界線Ｌ２’は回転本体２１の軸心を通過し、さらに伸縮終点境界線Ｌ１’と直交するように形成される。
【０１０９】
伸縮終点境界線Ｌ１’と伸縮始点境界線Ｌ２’によって液体タンク１１の中の空間を四個のエリアに分けられ、伸縮終点境界線Ｌ１’を始点とし、回転子２の回転方向に従って順序的に一個の浮子内隠エリアＺ１、一個の浮子漸伸エリアＺ２、一個の浮子全露エリアＺ３と一個の浮子漸縮エリアＺ４からなり、浮子内隠エリアＺ１と浮子全露エリアＺ３は回転本体２１の半径方向において対角に設置するように形成され、浮子漸伸エリアＺ２と浮子漸縮エリアＺ４は回転本体２１の半径方向において対角に設置するように形成されるため、第一浮子３ｐと第二浮子３ｑはそれぞれ浮子内隠ストローク、浮子漸伸ストローク、浮子全露ストロークと浮子漸縮ストロークを行なうことができる。
【０１１０】
上述した構造に基づき、本発明の実施例３の浮力駆動の運動エネルギー発生装置が作動する時、同様に第一浮子３ｐと第二浮子３ｑはそれぞれ図６に示すように、浮子内隠エリアＺ１、浮子漸伸エリアＺ２、浮子全露エリアＺ３と浮子漸縮エリアＺ４の中において浮子内隠ストローク、浮子漸伸ストローク、浮子全露ストロークと浮子漸縮ストロークを行なうことにより、引き続き回転本体２１を回転させる助力を提供することができるため、回転本体２１がスムースに回転するように維持する効果を達成することができる。
【０１１１】
その中に、第一浮子３ｐ（または第二浮子３ｑ）の導引部材３３の転動部材３３１が圧板６１の変位制御段６１１の内表面に接触する時（すなわち伸縮始点境界線Ｌ２’まで位置を合わせた時）、圧板６１は第一浮子３ｐ（または第二浮子３ｑ）に対して押圧の力を提供し始めることができ、第一浮子３ｐ（または第二浮子３ｑ）は浮子漸縮ストロークに進入して次第に回転本体２１の内部に縮入し、さらに連動モジュール３５によって相対応する第二浮子３ｑ（または第一浮子３ｐ）を連動して浮子漸伸ストロークに進入し、次第に回転本体２１の内部から伸出するため、第一浮子３ｐと第二浮子３ｑは回転本体２１に対して半径方向の変位を発生することができ、そして第二浮子３ｑ（または第一浮子３ｐ）から次第に増える浮力によって回転本体２１を連動して回転する助力を持続的に形成することができる。
【０１１２】
また、第一浮子３ｐ（または第二浮子３ｑ）の導引部材３３の転動部材３３１が圧板６１の維持端６１２の内表面に接触した時（すなわち伸縮終点境界線Ｌ１’まで位置を合わせた時）、第一浮子３ｐ（または第二浮子３ｑ）はすでに圧板６１によって最大縮入量の形態に達するまで押圧され、そして圧板６１は第一浮子３ｐ（または第二浮子３ｑ）を押圧するのを停止することにより、第一浮子３ｐ（または第二浮子３ｑ）は浮子内隠ストロークに進入すると同時に、連動モジュール３５によって相対応する第二浮子３ｑ（または第一浮子３ｐ）を最大伸出量の形態に達するまで連動して浮子全露ストロークに進入する。このように、本発明の実施例３の浮力駆動の運動エネルギー発生装置においては上述した実施例１、２と同様に運動エネルギー発生の効率を高める効果を達成することができる。
【実施例４】
【０１１３】
図２１は本発明の実施例４が四個の浮子を有する第一作動状態の説明図で、図２２は本発明の実施例４が四個の浮子を有する第二作動状態の説明図である。図２１、２２を参照すると、実施例４は大体として上述した実施例２と同じで、その主な差異は、互いに連動することができる浮子の数を増やすものであるため、さらに進んで浮力駆動の運動エネルギー発生装置によって運動エネルギー発生の効率を高めることができる。
【０１１４】
さらに詳しく言えば、再び図１２、２２を参照すると、実施例４において、浮力駆動の運動エネルギー発生装置には四個の浮子３（それぞれは第一浮子３ｐ、第二浮子３ｑ、第三浮子３ｒと第四浮子３ｓとして表示する）が含まれる。外周面２１ｂには他に一個の第三溝口２１１ｃと一個の第四溝口２１１ｄが設けられ、第一浮子３ｐ、第二浮子３ｑ、第三浮子３ｒと第四浮子３ｓはそれぞれ第一溝口２１１ａ、第二溝口２１１ｂ、第三溝口２１１ｃと一個の第四溝口２１１ｄに設けられる。
【０１１５】
第一浮子３ｐと第二浮子３ｑのカバー３１は回転本体２１の半径方向において相対し、さらに一個の連動モジュール３５によって連接されることにより、第一浮子３ｐと第二浮子３ｑを連動して同期に回転本体２１に対して半径方向の変位を発生することができる。同様に、第三浮子３ｒと第四浮子３ｓのカバー３１は回転本体２１の半径方向において相対し、さらにもう一個の連動モジュール３５によって連接されることにより、第三浮子３ｒと第四浮子３ｓを連動して同期に回転本体２１に対して半径方向の変位を発生することができる。また、第一浮子３ｐ、第二浮子３ｑ、第三浮子３ｒと第四浮子３ｓは好ましくは等間隔で回転本体２１の外周面２１ｂに設けられることにより、さらに進んで回転本体２１の回転時の安定性を高めることができる。
【０１１６】
本発明の実施例４の浮力駆動の運動エネルギー発生装置が作動する時、図２１に示される状態を例に挙げると、第一浮子３ｐは浮子全露エリアＺ３の中に位置し、そして第一浮子３ｐの導引部材３３の転動部材３３１は二個の導引軌条５２の維持端５２２の外側の表面に接触するように維持することにより、第一浮子３ｐは最大伸出量の形態に達するように形成されるため、最大の浮力で回転本体２１を連動して回転することができる。また、相対応する第二浮子３ｑは浮子内隠エリアＺ１の中に位置し、さらに最大縮入量の形態に達するように維持されるため、第一浮子３ｐと第二浮子３ｑは暫く回転本体２１に対して半径方向の変位を発生することができない。
【０１１７】
また、第三浮子３ｒは浮子漸伸エリアＺ２の中に位置し、第四浮子３ｓは浮子内隠エリアＺ１の中に位置することにより、第三浮子３ｒの導引部材３３の転動部材３３１によって二個の導引軌条５２の変位制御段５２１の外側の表面に接触し、そして二個の導引軌条５２が第三浮子３ｒに対して引張力を提供することにより、第三浮子３ｒは次第に回転本体２１の内部からの伸出量を増やし、次第に増える浮力をもって回転本体２１を連動して回転するのに協力し、そして第三浮子３ｒと第四浮子３ｓは回転本体２１に対して半径方向の変位を発生することができるため、第四浮子３ｓは連動によって浮子内隠エリアＺ１の中において次第に回転本体２１の内部に縮入する。
【０１１８】
再び図２２を参照すると、第一浮子３ｐの導引部材３３の転動部材３３１が二個の導引軌条５２の末端５２ｂから離脱した後、相対応する第二浮子３ｑは直ちにその導引部材３３の転動部材３３１によって二個の導引軌条５２の変位制御段５２１の外側の表面（すなわち第二浮子３ｑが伸縮始点境界線Ｌ２’まで位置を合わせた時）に接触し、二個の導引軌条５２によって第二浮子３ｑに対して引張力を提供し始めるため、第二浮子３ｑは浮子漸伸ストロークに進入して次第に回転本体２１の内部から伸出し、次第に増える浮力をもって回転本体２１を連動して回転するのに協力し、そして第一浮子３ｐと第二浮子３ｑは回転本体２１に対して半径方向の変位を発生し始めることができ、同期に第一浮子３ｐを連動して浮子漸縮ストロークに進入して次第に回転本体２１の内部に縮入する。
【０１１９】
他に、第二浮子３ｑが伸縮始点境界線Ｌ２’を通過すると同時に、第三浮子３ｒはすでに伸縮終点境界線Ｌ１’を通過して浮子全露ストロークに進入し、浮子全露エリアＺ３の中において最大伸出量の形態に達するように維持するため、最大の浮力で回転本体２１を連動して回転することができ、そして相対応する第四浮子３ｓは浮子内隠ストロークに進入し、浮子内隠エリアＺ１の中において最大縮入量の形態に達するように維持するため、第三浮子３ｒと第四浮子３ｓはすなわち回転本体２１に対して半径方向の変位を暫く発生することができない。
【０１２０】
このような循環において、本発明の実施例４の浮力駆動の運動エネルギー発生装置が作動する時、同様に第一浮子３ｐ、第二浮子３ｑ、第三浮子３ｒと第四浮子３ｓを図６に示すように、それぞれ浮子内隠エリアＺ１、浮子漸伸エリアＺ２、浮子全露エリアＺ３と浮子漸縮エリアＺ４の中において浮子内隠ストローク、浮子漸伸ストローク、浮子全露ストロークと浮子漸縮ストロークを行なうことにより、引き続き回転本体２１を回転させる助力を提供することができるため、回転本体２１がスムースに回転する効果を維持するように達成することができ、さらに上述した実施例１、２、３よりも運動エネルギー発生の効率を高めることができる。
【実施例５】
【０１２１】
図２３は本発明の実施例５が四個の浮子を有する作動状態の説明図である。図２３を参照すると、実施例５は大体として上述した実施例４と同じで、その主な差異は、伸縮制御モジュールの形態と設置の位置である。すなわち、本実施例は選択的に上述した実施例３と同様に押圧の方式で第一浮子３ｐと第二浮子３ｑを連動し、または第三浮子３ｒと第四浮子３ｓを連動する。そのため、本発明の実施例５の浮力駆動の運動エネルギー発生装置では上述した実施例４と同様に運動エネルギー発生の効率を高めることができ、そしてその作動の原理は上述した説明を参照することができるため、ここではその説明を省く。
【０１２２】
図２４は本発明の回転子が時計逆回りの方向で回転する時の浮子の伸出量の説明図である。図２４を参照すると、図２５の中の斜線エリアは浮子３が液体タンク１１の中における各部位の伸出量を表す。すなわち、本発明の浮力駆動の運動エネルギー発生装置は、その回転本体２１が液体タンク１１の中における回転方向は時計逆回りの方向からなることもできる。
【０１２３】
浮力駆動の運動エネルギー発生装置が作動する時、浮子３は回転本体２１に従って一周を回転すると同時に、回転本体２１の外周面２１ｂに対して一回の伸縮の循環を完成し、そして一回の伸縮の循環は四個のストロークに分けることができ、四個のストロークはそれぞれ一個の浮子内隠ストローク、一個の浮子漸伸ストローク、一個の浮子全露ストロークと一個の浮子漸縮ストロークからなる。浮子３の浮子内隠ストロークは最大縮入量（すなわち其伸出量為最小）の形態に達するように維持し、浮子３の浮子漸伸ストロークは次第にその伸出量を増やし、浮子３の浮子全露ストロークは最大伸出量の形態に達するように維持し、浮子３の浮子漸縮ストロークは次第にその伸出量を減らし、さらに浮子内隠ストロークに戻った時に最大縮入量の形態に達するように形成される。
【０１２４】
他に、浮子３の数は上述の実施例において挙げた一個から四個の外に、四個よりも大きな任意の数からなることができ、需要性に応じて任意に変化、調整を行なうことができることは、本発明の分野に通常の知識を有する者には理解できるもので、本発明おいては制限しない。また、浮子３の数は一個だけではない場合、複数個の浮子３は必ず等間隔で設置するという形態でなくてもよく、いかなる二個の隣接する浮子３の間隔を調整することによって回転子２の回転速度の変化を制御することができる。
【０１２５】
また、本発明の浮力駆動の運動エネルギー発生装置では浮子３を回転本体２１の二個の相対する端面２１ａにおいて伸縮させることができ、または浮子３が伸出の状態に形成された時に回転本体２１の外表面（二個の相対する端面２１ａまたは外周面２１ｂ）と連続した円弧面に形成させ、そして縮入の状態に形成された時には回転本体２１の外表面に凹入させることにより、同様に回転本体２１は平衡を失って回動し始める効果を達成することができる。
【０１２６】
総合すると、本発明の浮力駆動の運動エネルギー発生装置によれば、比較的低い密度を有する物質を収容する回転本体を、比較的高い密度を有する液体を収容する液体タンクの中に設けることにより、またはそのものの密度が液体より低い回転本体を上記液体タンクの中に設けることにより、上記回転本体は密度の差かつ重力の作用によって相当大きな予備浮力を発生することにより、総浮力の数値を大幅に高めることができる。
【０１２７】
また、浮子が回転本体に対しての伸縮作動を制御し、回転本体の一部の浮力に変化を発生させることにより、上記回転本体は平衡を失って回動し始めるため、回転本体の回転を維持する輸入の運動エネルギーを有効に低く抑えることができ、運動エネルギー発生のコストを低く下げるのに役立つことができる。また、大体積の回転本体が回転時において発生する慣性により、さらに浮子が回転本体の回転に従って形成される円弧形の伸縮径路により、全て回転本体の回転時の抵抗力を低く下げることができるため、浮力駆動の運動エネルギー発生装置はスムースに運転することができ、そして安定して持続的に運動エネルギーを発生することにより、運動エネルギー発生の効率を高める効果を達成することができる。
【０１２８】
本発明の浮力駆動の運動エネルギー発生装置によれば、その構造が簡単で、製造、組立て、メンテナンスのコストを低く抑えるのに役立つことができる。
【０１２９】
本発明は、その精神および必須の特徴事項から逸脱することなく他のやり方で実施することができる。従って、本明細書に記載した好ましい実施形態は例示のなものであり、限定を意図するものではない。
【符号の説明】
【０１３０】
１    基座
１１    液体タンク
１１１    支持体
１２    軸固定部
２    回転子
２１    回転本体
２１ａ    端面
２１ｂ    外周面
２１１    溝口
２１１ａ    第一溝口
２１１ｂ    第二溝口
２１１ｃ    第三溝口
２１１ｄ    第四溝口
２２    軸部
２２ａ    回転軸
２２ｂ    回転軸
２２１    軸孔
２３    外導引軌条
２４    環状部材
３    浮子
３ａ、３ｐ    第一浮子
３ｂ、３ｃ、３ｑ    第二浮子
３ｒ    第三浮子
３ｓ    第四浮子
３１    カバー
３１１    破水部
３２    隔離部材
３３    導引部材
３３１    転動部材
３４    位置決め部材
３５    連動モジュール
３５１    固定部材
３５２    連接桿
４    伸縮制御モジュール
４１    制御導引部材
４１１    位置決め材
４１２    第一維持端
４１３    第一変位制御段
４１４    第二維持端
４１５    第二変位制御段
４２    平衡ユニット
４２ａ    第一平衡ユニット
４２ｂ    第二平衡ユニット
４２１    第一支持座
４２１１    プシュ
４２２    第二支持座
４２２１    軸桿
４２３    弾性復元部材
５    伸縮制御モジュール
５１    シートフレーム
５２    導引軌条
５２ａ    始端
５２ｂ    末端
５２１    変位制御段
５２２    維持端
５３    通路
６    伸縮制御モジュール
６１    圧板
６１ａ    始端
６１ｂ    末端
６１１    変位制御段
６１２    維持端
６２    位置決め材
９    浮力駆動の運動エネルギー発生装置
９１    塔体
９２    運送装置
９２１    桶
９３    回転軸
９４    発電機
９５    気泡供給器
Ｆ    液面
Ｌ１、Ｌ１’    伸縮終点境界線
Ｌ２、Ｌ２’    伸縮始点境界線
Ｐ１、Ｐ２、Ｐ３、Ｐ４    連接点
Ｚ１    浮子内隠エリア
Ｚ２    浮子漸伸エリア
Ｚ３    浮子全露エリア
Ｚ４    浮子漸縮エリア
【図１】
0006035277.tif 000002
【図２】
0006035277.tif 000003
【図３】
0006035277.tif 000004
【図４】
0006035277.tif 000005
【図５】
0006035277.tif 000006
【図６】
0006035277.tif 000007
【図７】
0006035277.tif 000008
【図８】
0006035277.tif 000009
【図９】
0006035277.tif 000010
【図１０】
0006035277.tif 000011
【図１１】
0006035277.tif 000012
【図１２】
0006035277.tif 000013
【図１３】
0006035277.tif 000014
【図１４】
0006035277.tif 000015
【図１５】
0006035277.tif 000016
【図１６】
0006035277.tif 000017
【図１７】
0006035277.tif 000018
【図１８】
0006035277.tif 000019
【図１９】
0006035277.tif 000020
【図２０】
0006035277.tif 000021
【図２１】
0006035277.tif 000022
【図２２】
0006035277.tif 000023
【図２３】
0006035277.tif 000024
【図２４】
0006035277.tif 000025
【図２５】
0006035277.tif 000026